(57)【要約】【課題】第一の大当り遊技を行うための遊技から移行した第二の大当り遊技を行うための遊技において、遊技者に表示される演出映像を、単調とならず飽き難いものとすることができるパチンコ遊技機を提供する。【解決手段】第一の予告演出が表示されたときに第二の大当りと判定された場合は、第二の大当り遊技の１回あたりの遊技で獲得が期待される期待賞球数が多く、且つ特別遊技状態が継続する継続期待値が小さく、第二の予告演出が表示されたときに第二の大当りと判定された場合は、期待賞球数が少なく、且つ継続期待値が大きいように第二大当り遊技が実行される。【選択図】図２９
2015047399.tif 000002
【特許請求の範囲】
【請求項１】
遊技球が入球した場合に第一の大当りであるか否かが判定される始動口と、
前記第一の大当りと判定された場合に第一の大当り遊技を実行する第一の大当り遊技実行手段と、
遊技球が入球可能な開放状態と入球不能な閉鎖状態とに切り換えられる特別入球口と、
前記特別入球口に入球した遊技球が進入可能であると共に、遊技球が進入した場合に第二の大当りであると判定される特定領域と、
遊技球が入球容易な開放状態と入球困難な閉鎖状態とに切り換えられると共に、遊技球が入球した場合に前記特別入球口を開放状態とする小当り遊技を実行するか否かが判定される可変始動口と、
前記小当り遊技を実行すると判定された場合に前記特別入球口を開放状態とする小当り遊技実行手段と、
前記小当り遊技を実行すると判定された場合に、前記小当り遊技を契機として前記第二の大当りと判定される場合の大当り種類を複数の大当り種類から選択する大当り種類選択手段と、
前記第二の大当りと判定された場合に前記大当り種類選択手段により選択された大当り種類に対応する第二の大当り遊技を実行する第二の大当り遊技実行手段と、
所定の条件が成立した場合に、前記第一の大当り遊技の終了後及び前記第二の大当り遊技の終了後のそれぞれに遊技状態を前記可変始動口が開放状態となり易い特定遊技状態へと移行させる特定遊技状態移行手段と、
所定の演出が表示される表示部と、
遊技状態が前記特定遊技状態であるときに前記小当り遊技を実行すると判定された場合に、第一の予告演出及び第二の予告演出を含む複数の予告演出からいずれかを選択する予告演出選択手段と、
前記予告演出選択手段により選択された予告演出を前記表示部に表示する予告表示手段とを具備し、
前記複数の大当り種類には、各大当り種類に対応して第二の大当り遊技が実行された場合の獲得賞球数及び前記第二の大当り遊技の実行後の遊技状態における遊技者の有利度合いが設定され、
前記第一の予告演出が表示されたときに前記第二の大当りと判定された場合と、前記第二の予告演出が表示されたときに前記第二の大当りと判定された場合と、を比較すると、
前記第一の予告演出が表示されたときに前記第二の大当りと判定された場合は、前記第二の大当り遊技の１回あたりの遊技で獲得が期待される期待賞球数が多く、且つ前記特別遊技状態が継続する継続期待値が小さく、
前記第二の予告演出が表示されたときに前記第二の大当りと判定された場合は、前記期待賞球数が少なく、且つ前記継続期待値が大きいことを特徴とするパチンコ遊技機。
【請求項２】
前記特定遊技状態の継続中に行われる一連の第二の大当り遊技により獲得が期待される総期待賞球数は、前記第一の予告演出が表示されたときに前記第二の大当りと判定された前記第二の大当り遊技と、前記第二の予告演出が表示されたときに前記第二の大当りと判定された前記第二の大当り遊技とで等しいことを特徴とする請求項１に記載のパチンコ遊技機。
【発明の詳細な説明】
【技術分野】
【０００１】
本発明は、パチンコ遊技機の技術に関する。
【背景技術】
【０００２】
従来、パチンコ遊技機においては、種々のタイプの機種が知られている。例えば、デジパチ機（旧第一種タイプ）と呼ばれるタイプの機種が知られている。このデジパチ機においては、始動口への遊技球の入球に基づいて第一の大当りであるか否かの判定が行われる。そして、第一の大当りと判定された場合には、第一の大当り遊技が行われる。そして、第一の大当り遊技が行われると、遊技者は有利な遊技状態での遊技が可能となる。
【０００３】
また、例えば、羽根物（旧第二種タイプ）と呼ばれるタイプの機種が知られている。この羽根物においては、開閉可能な羽根役物を有する開閉入球装置が設けられる。開閉入球装置は、羽根役物により遊技球が入球可能な開放状態と入球不能な閉鎖状態とが切り換えられる。そして、開閉入球装置に入球された遊技球が当該開閉入球装置の内部に設けられた特定領域に進入した場合には、第二の大当り遊技が行われる。そして、第二の大当り遊技が行われると、遊技者は有利な遊技状態での遊技が可能となる。
【０００４】
さらに、デジパチ機と羽根物とを複合させた、いわゆる一種二種混合機と呼ばれるタイプの機種が知られている。例えば、特許文献１に記載の如くである。
【０００５】
この一種二種混合機においては、始動口への遊技球の入賞に基づいて第一の大当りであるか否かの判定が行われる。そして、第一の大当りと判定された場合には、第一の大当り遊技が行われる。また、可変始動口への遊技球の入賞に基づいて小当り遊技を行うか否かが判定される。そして、小当り遊技を行うと判定された場合に、当該判定から所定時間が経過した後に特別入球口が開放状態とされる。そして、特別入球口に入球した遊技球が特定領域に進入した場合に第二の大当り遊技が行われる。そして、小当り遊技を行うと判定された場合に、可変始動口が開放状態となり易い特定遊技状態へと遊技状態を移行するか否かの判定が行われる。そして、特定遊技状態に移行すると判定された場合に、第二の大当り遊技の終了後に遊技状態が前記特定遊技状態に移行される。
【０００６】
このように、前記一種二種混合機においては、特定遊技状態に移行すると、第一の大当り遊技を行うための遊技から第二の大当り遊技を行うための遊技に移行し、多くの賞球数を得やすい状態となる。
【０００７】
しかしながら、第二の大当り遊技を行うための遊技において、遊技者に表示される演出映像は、淡々と同じ映像が繰り返し再生されるだけの場合が多く、単調で飽き易いという問題があった。
【先行技術文献】
【特許文献】
【０００８】
【特許文献１】特開２０１０−１３１０３８号公報
【発明の概要】
【発明が解決しようとする課題】
【０００９】
本発明は以上の如き状況に鑑みてなされたものであり、その解決しようとする課題は、第一の大当り遊技を行うための遊技から移行した第二の大当り遊技を行うための遊技において、遊技者に表示される演出映像を、単調とならず飽き難いものとすることができるパチンコ遊技機を提供することである。
【課題を解決するための手段】
【００１０】
本発明の解決しようとする課題は以上の如くであり、次にこの課題を解決するための手段を説明する。
【００１１】
即ち、請求項１においては、遊技球が入球した場合に第一の大当りであるか否かが判定される始動口と、前記第一の大当りと判定された場合に第一の大当り遊技を実行する第一の大当り遊技実行手段と、遊技球が入球可能な開放状態と入球不能な閉鎖状態とに切り換えられる特別入球口と、前記特別入球口に入球した遊技球が進入可能であると共に、遊技球が進入した場合に第二の大当りであると判定される特定領域と、遊技球が入球容易な開放状態と入球困難な閉鎖状態とに切り換えられると共に、遊技球が入球した場合に前記特別入球口を開放状態とする小当り遊技を実行するか否かが判定される可変始動口と、前記小当り遊技を実行すると判定された場合に前記特別入球口を開放状態とする小当り遊技実行手段と、前記小当り遊技を実行すると判定された場合に、前記小当り遊技を契機として前記第二の大当りと判定される場合の大当り種類を複数の大当り種類から選択する大当り種類選択手段と、前記第二の大当りと判定された場合に前記大当り種類選択手段により選択された大当り種類に対応する第二の大当り遊技を実行する第二の大当り遊技実行手段と、所定の条件が成立した場合に、前記第一の大当り遊技の終了後及び前記第二の大当り遊技の終了後のそれぞれに遊技状態を前記可変始動口が開放状態となり易い特定遊技状態へと移行させる特定遊技状態移行手段と、所定の演出が表示される表示部と、遊技状態が前記特定遊技状態であるときに前記小当り遊技を実行すると判定された場合に、第一の予告演出及び第二の予告演出を含む複数の予告演出からいずれかを選択する予告演出選択手段と、前記予告演出選択手段により選択された予告演出を前記表示部に表示する予告表示手段とを具備し、前記複数の大当り種類には、各大当り種類に対応して第二の大当り遊技が実行された場合の獲得賞球数及び前記第二の大当り遊技の実行後の遊技状態における遊技者の有利度合いが設定され、前記第一の予告演出が表示されたときに前記第二の大当りと判定された場合と、前記第二の予告演出が表示されたときに前記第二の大当りと判定された場合と、を比較すると、前記第一の予告演出が表示されたときに前記第二の大当りと判定された場合は、前記第二の大当り遊技の１回あたりの遊技で獲得が期待される期待賞球数が多く、且つ前記特別遊技状態が継続する継続期待値が小さく、前記第二の予告演出が表示されたときに前記第二の大当りと判定された場合は、前記期待賞球数が少なく、且つ前記継続期待値が大きいものである。
【００１２】
また、請求項２においては、前記特定遊技状態の継続中に行われる一連の第二の大当り遊技により獲得が期待される総期待賞球数は、前記第一の予告演出が表示されたときに前記第二の大当りと判定された前記第二の大当り遊技と、前記第二の予告演出が表示されたときに前記第二の大当りと判定された前記第二の大当り遊技とで等しいものである。
【発明の効果】
【００１３】
本発明の効果として、以下に示すような効果を奏する。
【００１４】
請求項１においては、第一の大当り遊技を行うための遊技から移行した第二の大当り遊技を行うための遊技において、遊技者に表示される演出映像を、単調とならず飽き難いものとすることができる。
【００１５】
また、請求項２においては、遊技の公平性が阻害されることを防止することができる。
【図面の簡単な説明】
【００１６】
【図１】本発明の第一実施形態に係るパチンコ遊技機の全体的な構成を示した正面図。
【図２】同じく、窓枠が開放された状態の構成を示した斜視図。
【図３】同じく、遊技盤の構成を示した正面図。
【図４】同じく、主制御回路、サブ制御回路及び表示制御回路の構成を示したブロック図。
【図５】同じく、大入賞装置ユニットの構成を示した斜視図。
【図６】同じく、第一大入賞装置及び第二大入賞装置の構成を示した正面図。
【図７】同じく、主制御回路の主制御ＲＡＭの構成を示した図。
【図８】同じく、主制御回路の主制御ＲＯＭの構成を示した図。
【図９】（ａ）同じく、主制御回路の主制御ＲＯＭに記憶された特図１大当り判定テーブルの制御データを示した図。（ｂ）同じく、特図２大当り判定テーブルの制御データを示した図。
【図１０】同じく、主制御回路の主制御ＲＯＭに記憶された特図２小当り図柄選択テーブルの制御データを示した図。
【図１１】同じく、主制御回路の主制御ＲＯＭに記憶された大当り図柄選択テーブルの制御データを示した図。
【図１２】同じく、サブ制御回路のサブ制御ＲＡＭの構成を示した図。
【図１３】同じく、サブ制御回路のサブ制御ＲＯＭの構成を示した図。
【図１４】同じく、サブ制御回路のサブ制御ＲＯＭに記憶された時短時予告演出選択テーブルの制御データを示した図。
【図１５】同じく、遊技の流れについて示したフローチャート。
【図１６】同じく、始動口への入賞に基づく遊技を示したフローチャート。
【図１７】同じく、主制御回路の特別図柄遊技の処理を示したフローチャート。
【図１８】同じく、図１７における処理の続きを示したフローチャート。
【図１９】同じく、図１７及び図１８における処理の続きを示したフローチャート。
【図２０】同じく、主制御回路の小当り遊技の処理を示したフローチャート。
【図２１】同じく、サブ制御回路の装飾図柄遊技の処理を示したフローチャート。
【図２２】同じく、表示制御回路の装飾図柄遊技の処理を示したフローチャート。
【図２３】同じく、発射装置により発射された遊技球が大入賞装置ユニットに到達するまでの経路を示した模式図。
【図２４】同じく、大入賞装置ユニットに到達した遊技球が第一大入賞口に入賞する様子を示した模式図。
【図２５】同じく、大入賞装置ユニットに到達した遊技球が第一大入賞口及び第二大入賞口に入賞しない様子を示した模式図。
【図２６】（ａ）同じく、大入賞装置ユニットに到達した遊技球が通常領域に入賞する様子を示した模式図。（ｂ）同じく、特定領域に入賞する様子を示した模式図。
【図２７】同じく、時短時予告演出の表示の開始及び停止のタイミングを示したタイミング図。
【図２８】（ａ）同じく、時短時予告演出の表示態様を示した図。（ｂ）同じく、図２８（ａ）の続きを示した図。（ｃ）同じく、図２８（ｂ）の続きを示した図。
【図２９】（ａ）同じく、時短時予告演出に対する３種類のＶ大当りの選択割合を示した図。（ｂ）同じく、時短時予告演出に対する第一及び第二期待賞球数、継続率を示した図。
【図３０】別実施形態に係る時短時予告演出選択テーブルの制御データを示した図。
【発明を実施するための形態】
【００１７】
まず、本発明に係るパチンコ遊技機の一実施形態に係るパチンコ遊技機の全体的な構成について説明する。
なお、以下の説明では、パチンコ遊技機を遊技者から見て、手前側をパチンコ遊技機の前側とし、奥側をパチンコ遊技機の後側として、前後方向を規定する。また、パチンコ遊技機を遊技者から見て、左手側をパチンコ遊技機の左側とし、右手側をパチンコ遊技機の右側として、左右方向を規定する。
【００１８】
パチンコ遊技機は、いわゆる一種二種混合機と呼ばれるタイプのパチンコ遊技機である。パチンコ遊技機は、図１及び図２が示すように、主として、外枠２と、中枠３と、窓枠５と、により構成される枠体に、各種の遊技部品が取り付けられて形成される。
【００１９】
外枠２は、パチンコ遊技機の外郭を成し、前後面が開口された略四角筒状に形成される枠体である。外枠２は、パチンコホール等の遊技場に設けられた台島に設置される。外枠２には、中枠３が設けられる。
【００２０】
中枠３は、前後面が開口された略四角筒状に形成される枠体である。中枠３は、外枠２の前側の開口部にヒンジ等の軸支部材を介して回動可能に支持される。中枠３には、遊技盤４と、窓枠５と、下皿ユニット６と、が設けられる。
【００２１】
遊技盤４は、略平板状に形成される部材である。遊技盤４は、中枠３に着脱可能に取り付けられる。遊技盤４の前側面には、遊技球が転動する領域である遊技領域７が形成される（図３参照）。また、遊技盤４の後方には、賞球払出装置１７が配設される（図３参照）。賞球払出装置１７は、遊技球が各種の入賞口に入賞すると、所定個数の賞球を後述する上皿９に払い出し可能に構成される。
【００２２】
窓枠５は、略額縁状に形成される枠体である。窓枠５は、遊技盤４の前方に配置され、中枠３の前側の開口部にヒンジ等の軸支部材を介して回動可能に支持される。窓枠５の略中央には、略円形状に開口された窓枠開口部８が配設される。窓枠開口部８には、透明板１３が覆設される。これによって、遊技者は、窓枠５の後方に配置された遊技盤４の遊技領域７を、前方から透明板１３を介して視認することができる。窓枠開口部８の下方には、発射前の遊技球が貯溜される上皿９が配設される。上皿９に貯溜された遊技球は、後述する発射装置１６へと供給される。窓枠開口部８の左右上方には、スピーカ１０・１０がそれぞれ配設される。
【００２３】
下皿ユニット６は、中枠３の下側であって窓枠５の下方に取り付けられる。下皿ユニット６の略中央には、上皿９から溢れた遊技球が貯溜される下皿１１が配設される。下皿ユニット６の右側部であって下皿１１の右方には、発射ハンドル１２が配設される。発射ハンドル１２は回動操作可能に支持される。また、発射ハンドル１２の上部後方（下皿ユニット６の後面側）には、遊技領域７へ向けて遊技球を発射する装置である発射装置１６が配設される。そして、発射ハンドル１２が遊技者により回動操作されると、遊技者の操作に応じて遊技球が発射装置１６により遊技盤４に設けられた遊技領域７に発射される。
【００２４】
次に、遊技領域７の構成について、図３から図６を用いてさらに詳細に説明する。
【００２５】
遊技領域７は、遊技盤４において遊技球が転動する領域である。遊技領域７は、遊技盤４の前側面に、帯状部材であるガイドレール３０によって、略円形状に区画形成される。なお、遊技領域７の左方には、発射装置１６により発射された遊技球を遊技領域７に向けて案内する誘導路７ａが、２つのガイドレール３０・３０によって略円弧状に区画形成される。遊技領域７の略中央は、装飾図柄表示装置４０を設置するために開口され、その周縁に正面視で略円環状に形成されたセンター役物１５が配設される。なお、遊技領域７には、複数の遊技釘が植設される。これによって、遊技領域７に発射された遊技球は、複数の遊技釘に衝突しながら落下し、当該遊技領域７内を転動することになる。
【００２６】
遊技領域７には、主として始動ゲート３２と、特図１用始動口３３と、可変入賞装置３５（特図２用始動口３４）と、大入賞装置ユニット７０（第一大入賞装置３６及び第二大入賞装置３７）と、普通図柄表示装置３８と、特別図柄表示装置３９と、装飾図柄表示装置４０と、が設けられる。
【００２７】
始動ゲート３２は、遊技領域７の右下部（大入賞装置ユニット７０の上部）に配置される。始動ゲート３２は、上下方向に貫通したゲート状に形成され、その内側を遊技球が通過（入賞）可能に構成される。始動ゲート３２の内側には、近接スイッチからなる始動ゲートセンサ５１が配設される。始動ゲートセンサ５１は、遊技球が始動ゲート３２に入賞すると、当該入賞を検知して当該始動ゲート３２の入賞信号を出力するように構成される。
なお、始動ゲート３２には、いわゆる右打ちにより遊技球が入賞される。
【００２８】
特図１用始動口３３は、遊技領域７の下部であって、装飾図柄表示装置４０の直ぐ下方に配置される。特図１用始動口３３は、上面が開口されたポケット状に形成され、その内部に遊技球が入球（入賞）可能に構成される。特図１用始動口３３の内部には、近接スイッチからなる特図１用始動口センサ５２が配設される。特図１用始動口センサ５２は、遊技球が特図１用始動口３３に入賞すると、当該入賞を検知して当該特図１用始動口３３の入賞信号を出力するように構成される。
【００２９】
可変入賞装置３５（普通電動役物）は、遊技領域７の下部であって特図１用始動口３３の直ぐ下方に配置される。可変入賞装置３５には、左右方向に細長く開口された特図２用始動口３４が設けられる。特図２用始動口３４は、その内側に遊技球が入球（入賞）可能に構成される。特図２用始動口３４の内側には、近接スイッチからなる特図２用始動口センサ５３が配設される。特図２用始動口センサ５３は、遊技球が特図２用始動口３４に入賞すると、当該入賞を検知して特図２用始動口３４の入賞信号を出力するように構成される。可変入賞装置３５には、図示せぬソレノイド駆動回路を介して電気的に開閉動作可能な特図２用始動口扉５４が配設される。可変入賞装置３５は、特図２用始動口扉５４の開閉動作により、特図２用始動口３４に遊技球が入賞可能な開放状態と入賞不能な閉鎖状態とを切り替え可能に構成される。
【００３０】
大入賞装置ユニット７０は、遊技領域７の右下部に配置される。大入賞装置ユニット７０には、図５及び図６に示すように、第一大入賞装置３６と、第二大入賞装置３７と、が設けられる。第一大入賞装置３６及び第二大入賞装置３７は、遊技領域７の一部に含まれる背板７１から前方に突出した略箱状に形成される。第一大入賞装置３６及び第二大入賞装置３７の前端部には、略平板状の前板７２が配設される。前板７２はその板面を前後方向へ向けて配置され、その前側の面（遊技者側の面）には遊技者の興趣を高めるための装飾が施される。なお、前板７２は、透過性を有する部材により形成されてもよい。これによれば、遊技者は、第一大入賞装置３６や第二大入賞装置３７に入賞した遊技球の動きを、前板７２を介して視認することができる。
【００３１】
第一大入賞装置３６（第一の特別電動役物）は、大入賞装置ユニット７０の右下部に配置される。第一大入賞装置３６には、第一大入賞口５５が設けられる。第一大入賞口５５は、略箱状に形成された第一大入賞装置３６の上側面が上方を臨むように開口され、左右方向に細長く伸びた形状に形成される。第一大入賞口５５は、その内側（下側）に遊技球が入球（入賞）可能に構成される。また、図６に示すように、第一大入賞口５５の内側の左下部には、入賞した遊技球を回収するための第一回収口７３が形成される。また、第一回収口７３には、近接スイッチからなる第一大入賞口センサ５６が配設される。第一大入賞口センサ５６は、遊技球が第一大入賞口５５に入賞すると、当該入賞を検知して第一大入賞口５５の入賞信号を出力するように構成される。第一大入賞装置３６には、図示せぬソレノイド駆動回路を介して電気的に開閉動作可能な第一大入賞口扉５７が配設される。第一大入賞装置３６は、第一大入賞口扉５７の開閉動作により、第一大入賞口５５に遊技球が入賞可能な開放状態と入賞不能な閉鎖状態とを切り替え可能に構成される。
【００３２】
なお、第一大入賞装置３６（第一大入賞口５５）は、第一特別図柄遊技の大当り判定の結果が大当り（以下では「特図１大当り」と称する。）である場合と、第二特別図柄遊技の大当り判定の結果が大当り（以下では「特図２大当り」と称する。）である場合とに、大当り遊技（特図１大当り遊技又は特図２大当り遊技）として閉鎖状態と開放状態とが切り換えられるように構成される。
なお、第一大入賞装置３６には、いわゆる右打ちにより遊技球が入賞される。
【００３３】
第二大入賞装置３７（第二の特別電動役物）は、大入賞装置ユニット７０の左下部であって、第一大入賞装置３６に左下方に配置される。第二大入賞装置３７は、その内側を遊技球が移動可能な略箱（通路）状に形成される。図６に示すように、第二大入賞装置３７には、第二大入賞口５８と、第二大入賞口扉６０と、通路部７６と、特定領域（以下では「Ｖ領域」と称する。）６１と、通常領域６３と、振り分け片６５と、が設けられる。
【００３４】
第二大入賞口５８は、略箱状に形成された第二大入賞装置３７の左上端面が、左上方を臨むように開口されて形成される。第二大入賞口５８は、その内側（通路部７６）に遊技球が入球（入賞）可能に構成される。なお、第二大入賞口５８の直ぐ内側には、近接スイッチからなる第二大入賞口センサ５９が配設される。第二大入賞口センサ５９は、遊技球が第二大入賞口５８に入賞すると、当該入賞を検知して第二大入賞口５８の入賞信号を出力するように構成される。
【００３５】
第二大入賞口扉６０は、第二大入賞口５８を被覆する細長い略平板状の部材である。第二大入賞口扉６０は、その長手方向の一側端部が回動自在に支持され、図示せぬソレノイド駆動回路を介して開閉動作可能に構成される。第二大入賞口扉６０は、その開閉動作により、第二大入賞口５８に遊技球が入賞可能な開放状態と入賞不能な閉鎖状態とを切り替え可能に構成される。
【００３６】
通路部７６は、第二大入賞口５８から入球した遊技球を所定箇所へ向けて案内する通路である。通路部７６は、その一側端部が第二大入賞口５８に接続され、他側端部が右下方へ向けて延出される。通路部７６の右下部には、後述する通常領域６３が形成される。また、通路部７６には、第二大入賞口５８（一側端部）と右下（他側）端部との間の中途部７７から左下方へ向けて延出する分岐路７８が設けられる。分岐路７８には、後述するＶ領域６１が形成される。このように、第二大入賞口５８から通路部７６に入球した遊技球は、中途部７７を介して通常領域６３、又はＶ領域６１に案内される。
【００３７】
Ｖ領域６１は、分岐路７８に形成される領域である。Ｖ領域６１の上側端部近傍には、近接スイッチからなる特定領域センサ６２が配設される。特定領域センサ６２は、遊技球がＶ領域６１に入球（入賞）すると、当該入賞を検知して当該Ｖ領域６１の入賞信号を出力するように構成される。また、Ｖ領域６１には、入賞した遊技球を回収するための第三回収口７４が形成される。
【００３８】
通常領域６３は、通路部７６における右下部（中途部７７よりも右下方）の領域である。通常領域６３の右下端部には、近接スイッチからなる通常領域センサ６４が配設される。通常領域センサ６４は、遊技球が通常領域６３に入球（入賞）すると、当該入賞を検知して当該通常領域６３の入賞信号を出力するように構成される。また、通常領域６３には、入賞した遊技球を回収するための第二回収口７５が形成される。
【００３９】
振り分け片６５は、通路部７６の中途部７７において、分岐路７８（Ｖ領域６１）の入り口を被覆する細長い略平板状の部材である。振り分け片６５は、その長手方向の一側端部が回動自在に支持され、図示せぬソレノイド駆動回路を介して開閉動作可能に構成される。振り分け片６５は、その開閉動作により、第二大入賞口５８から通路部７６に入球した遊技球を、Ｖ領域６１又は通常領域６３のいずれか一方の領域に振り分け可能に構成される。より詳細には、振り分け片６５は、分岐路７８（Ｖ領域６１）の入り口を被覆した状態（閉鎖状態）であれば、第二大入賞口５８から通路部７６に入球した遊技球を通常領域６３に振り分けることができる。一方、振り分け片６５は、分岐路７８（Ｖ領域６１）の入り口の被覆を解消して中途部７７を塞ぐ状態（開放状態）であれば、第二大入賞口５８から通路部７６に入球した遊技球をＶ領域６１に振り分けることができる。
【００４０】
このように、第二大入賞装置３７は、第二大入賞口扉６０の開放動作により第二大入賞口５８に遊技球が入賞すると、当該入賞した遊技球を振り分け片６５の開閉動作に応じてＶ領域６１又は通常領域６３の何れか一方の領域に入賞させることができる。
【００４１】
なお、第二大入賞装置３７（第二大入賞口５８）は、後述する第二特別図柄遊技の小当り判定の結果が当りである場合に、小当り遊技として閉鎖状態と開放状態とが切り替えられるように構成される。また、第二大入賞装置３７の第二大入賞口５８は、前述した小当り遊技において第二大入賞口５８に入賞した遊技球がＶ領域６１に入賞した場合に、本大当り（以下では「Ｖ大当り」と称する。）となり、大当り遊技（後述する「Ｖ大当り遊技」）として閉鎖状態と開放状態とが切り替えられるように構成される。
なお、本実施形態においてＶ大当りは、３種類設けられる。この３種類のＶ大当りについての詳細な説明は後述する。
【００４２】
普通図柄表示装置３８は、普通図柄遊技の当り判定の結果を表示して遊技者に報知する装置である。普通図柄表示装置３８は、遊技領域７の左下部に配置される。普通図柄表示装置３８には、普通図柄が変動表示される普図ＬＥＤ表示部６６が設けられる。以下では、当りを目指して普通図柄を変動させる遊技を、普通図柄遊技と称する。
【００４３】
なお、普通図柄遊技の当り判定は、始動ゲート３２への遊技球の入賞に基づいて行われる。そして、普通図柄遊技の当り判定が行われると、普図ＬＥＤ表示部６６に普通図柄の変動表示が開始され、所定時間経過後に当該変動表示が停止される。そして、当該停止表示された普通図柄の図柄の組み合わせにより、普通図柄遊技の当り判定の結果が遊技者に報知される。
【００４４】
そして、普通図柄遊技の当り判定の結果が当りであると遊技者に報知されると、可変入賞装置３５の特図２用始動口扉５４が開閉動作して当該可変入賞装置３５の開放状態と閉鎖状態とが切り替えられる。そして、可変入賞装置３５が開放状態となると、特図２用始動口３４に遊技球が入賞可能となる。なお、可変入賞装置３５の開放状態は、所定時間経過後、又は所定個数の遊技球が特図２用始動口３４に入賞した場合に終了して閉鎖状態へと切り替えられる。
【００４５】
特別図柄表示装置３９は、特別図柄遊技の大当り判定の結果及び小当り判定の結果を表示して遊技者に報知する装置である。特別図柄表示装置３９は、遊技領域７の左下部であって、普通図柄表示装置３８の左上方に配置される。特別図柄表示装置３９には、特別図柄が変動表示される特図ＬＥＤ表示部６７が設けられる。以下では、大当りを目指して特別図柄を変動させる遊技を、特別図柄遊技と称する。
【００４６】
ここで、本実施形態において特別図柄は、特別図柄１と特別図柄２との２種類の図柄が設けられる。そして、本実施形態において特別図柄遊技は、特別図柄１を変動させる第一特別図柄遊技と、特別図柄２を変動させる第二特別図柄遊技と、の２種類の遊技が設けられる。
【００４７】
第一特別図柄遊技の大当り判定は、特図１用始動口３３への遊技球の入賞に基づいて行われる。そして、第一特別図柄遊技の大当り判定が行われると、特別図柄表示装置３９の特図ＬＥＤ表示部６７に特別図柄１の変動表示が開始され、所定時間経過後に当該変動表示が停止される。そして、当該停止表示された特別図柄１の図柄の組み合わせにより、第一特別図柄遊技の大当り判定の結果が遊技者に報知される。
【００４８】
第二特別図柄遊技の大当り判定は、特図２用始動口３４への遊技球の入賞に基づいて行われる。そして、第二特別図柄遊技の大当り判定が行われると、特別図柄表示装置３９の特図ＬＥＤ表示部６７に特別図柄２の変動表示が開始され、所定時間経過後に当該変動表示が停止される。そして、当該停止表示された特別図柄２の図柄の組み合わせにより、第二特別図柄遊技の大当り判定の結果が遊技者に報知される。
【００４９】
なお、第一特別図柄遊技の大当り判定及び第二特別図柄遊技の大当り判定は、当該大当り判定の契機となる遊技球の入賞した順番に従って行われる。
【００５０】
そして、第一特別図柄遊技の大当り判定の結果が特図１大当りである場合、又は第二特別図柄遊技の大当り判定の結果が特図２大当りである場合には、特別図柄１、又は特別図柄２の変動停止後に後述する大当り遊技が開始され、第一大入賞装置３６（第一大入賞口５５）の開放状態と閉鎖状態とが連続して切り替えられる。
【００５１】
また、第二特別図柄遊技の大当り判定の結果がハズレである場合には、当該第二特別図柄遊技の小当り判定が行われる。第二特別図柄遊技の小当り判定は、当該第二特別図柄遊技の大当り判定と同様に、特図２用始動口３４への遊技球の入賞に基づいて行われる。そして、第二特別図柄遊技の小当り判定が行われると、特別図柄表示装置３９の特図ＬＥＤ表示部６７に停止表示された小当り図柄により、第二特別図柄遊技の小当り判定の結果が遊技者に報知される。
【００５２】
そして、第二特別図柄遊技の小当り判定の結果が当りである場合には、小当り図柄の表示後に後述する小当り遊技が開始され、第二大入賞装置３７（第二大入賞口５８）が閉鎖状態から開放状態へと切り替えられる。
【００５３】
装飾図柄表示装置４０は、装飾図柄遊技の結果を表示して遊技者に報知する装置である。装飾図柄表示装置４０は、遊技領域７の略中央に配設されたセンター役物１５に設置される。装飾図柄表示装置４０には、装飾図柄が変動表示される液晶表示部６８が設けられる。
【００５４】
液晶表示部６８には、装飾図柄遊技として複数の装飾図柄がそれぞれ独立して循環するように変動表示される。以下では、当りを目指して複数の装飾図柄を変動させる遊技を、装飾図柄遊技と称する。
【００５５】
複数の装飾図柄の変動表示は、所定時間経過後に停止される。そして、当該停止表示された複数の装飾図柄の図柄の組み合わせにより、装飾図柄遊技の結果が遊技者に報知される。そして、装飾図柄遊技の結果が当りである場合には、当該結果が遊技者に報知された後、大当り遊技が開始される。
【００５６】
また、液晶表示部６８には、装飾図柄遊技の結果のほかに、後述する時短時予告演出や時短継続報知演出を含む種々の演出（例えば、リーチ演出や背景演出や擬似連続表示演出や先読み予告演出等）が液晶表示部６８に表示される。
【００５７】
なお、本実施形態において装飾図柄は、「０」・「１」・「２」・「３」・「４」・「５」・「６」・「７」の数字図柄が使用される。そして、装飾図柄遊技の結果が当りである場合には、液晶表示部６８に停止表示される複数の装飾図柄の組み合わせは、「０００」・「１１１」・「２２２」・「３３３」・「４４４」・「５５５」・「６６６」・「７７７」のうち、何れか１つの組み合わせとなる。
【００５８】
また、装飾図柄遊技の結果は、特図１用始動口３３への遊技球の入賞と、特図２用始動口３４への遊技球の入賞と、の２種類の遊技球の入賞に基づいて決定される。より詳細には、装飾図柄遊技の結果は、前記２種類の遊技球の入賞に基づいて行われた第一特別図柄遊技又は第二特別図柄遊技の大当り判定の結果に基づいて決定される。すなわち、大当り判定の結果が特図１大当り又は特図２大当りである場合に、装飾図柄遊技の結果は当りとなる。また、大当り判定の結果がハズレである場合に、装飾図柄遊技の結果はハズレとなる。このように、装飾図柄遊技の結果は、第一特別図柄遊技及び第二特別図柄遊技の大当り判定の結果と連動するように設定される。
【００５９】
また、装飾図柄表示装置４０の液晶表示部６８には、特別図柄遊技の特別図柄の変動保留回数を遊技者に報知する保留回数表示部６９が設けられる。保留回数表示部６９は、液晶表示部６８の下部に配置される。保留回数表示部６９に表示される特別図柄遊技の特別図柄１及び特別図柄２の変動保留回数は、前記３種類の遊技球の入賞に応じて、あるいは特別図柄１又は特別図柄２の変動表示（大当り判定）に応じて減算される。なお、第一特別図柄遊技の特別図柄１及び第二特別図柄遊技の特別図柄２の変動保留回数の上限は、合計４回に設定される。
【００６０】
以下では、小当り遊技について詳細に説明する。
【００６１】
小当り遊技とは、内部的な遊技状態が小当り遊技状態へと移行した状態で行われる遊技である。小当り遊技では、小当り遊技状態へと移行する前の遊技状態（通常の遊技状態）と比較して有利となる遊技状態であって、且つ大当り遊技状態よりも小さい有利度合いの遊技状態が遊技者に付与される。具体的には、小当り遊技では、第二大入賞装置３７の第二大入賞口扉６０が開閉動作を行って、第二大入賞装置３７の開放状態と閉鎖状態との切り替えが１回行われる。これにより、遊技者は通常の遊技状態での遊技よりも多くの（大当り遊技である場合よりは少ない）賞球数を獲得することができる。
【００６２】
なお、小当り遊技において第二大入賞装置３７の開放状態は、予め設定された所定時間（本実施形態では、１．５秒）経過後に終了し、閉鎖状態へと切り替えられる。
【００６３】
そして、小当り遊技において、第二大入賞装置３７の第二大入賞口５８に遊技球が入賞し、当該入賞した遊技球がＶ領域６１に入賞した場合には、内部的な遊技状態が小当り遊技状態から大当り遊技状態（Ｖ大当り遊技状態）へと移行する。すなわち、小当り遊技が終了して大当り遊技（Ｖ大当り遊技）が開始される。
【００６４】
以下では、大当り遊技について詳細に説明する。
【００６５】
本実施形態において大当り遊技には、第一大入賞装置３６を使用する特図１大当り遊技及び特図２大当り遊技と、第二大入賞装置３７を使用するＶ大当り遊技と、が設けられる。
なお、第二大入賞装置３７には、いわゆる右打ちにより遊技球が入賞される。
【００６６】
特図１大当り遊技とは、特図１用始動口３３への遊技球の入賞に基づいて行われた第一特別図柄遊技の大当り判定の結果が特図１大当りである場合に、内部的な遊技状態が通常の遊技状態から大当り遊技状態（特図１大当り遊技状態）へと移行した状態で行われる遊技である。
特図２大当り遊技とは、特図２用始動口３４への遊技球の入賞に基づいて行われた第二特別図柄遊技の大当り判定の結果が特図２大当りである場合に、内部的な遊技状態が通常の遊技状態から大当り遊技状態（特図２大当り遊技状態）へと移行した状態で行われる遊技である。
特図１大当り遊技及び特図２大当り遊技においては、前述したように、大入賞装置として第一大入賞装置３６が使用される。
【００６７】
特図１大当り遊技及び特図２大当り遊技では、第一大入賞装置３６の第一大入賞口扉５７の開閉動作が連続して行われ、第一大入賞装置３６の開放状態と閉鎖状態との連続した切り替え（連続作動）が行われる。これにより、遊技者は通常の遊技状態での遊技よりも多くの（小当り遊技である場合よりも多くの）賞球数を獲得することができる。
【００６８】
なお、特図１大当り遊技及び特図２大当り遊技において第一大入賞装置３６の１回当りの開放状態は、所定時間（本実施形態では、３０秒）経過後、又は所定個数（本実施形態では、１０個）の遊技球が第一大入賞口５５に入賞した場合に終了し、閉鎖状態へと切り替えられる。そして、第一大入賞装置３６は、閉鎖状態へと切り替えられた後、所定時間（本実施形態では、３秒）経過後に再び開放状態に切り替えられる。
【００６９】
また、Ｖ大当り遊技とは、前述したように、小当り遊技において第二大入賞装置３７の第二大入賞口５８に遊技球が入賞し、当該入賞した遊技球がＶ領域６１に入賞した場合に、内部的な遊技状態が（小当り遊技状態から）大当り遊技状態へと移行した状態で行われる遊技である。Ｖ大当り遊技においては、前述したように、大入賞装置として第二大入賞装置３７が使用される。なお、Ｖ大当り遊技においては、第一大入賞装置３６と第二大入賞装置３７とが組み合わされて使用される場合もある。
【００７０】
Ｖ大当り遊技では、第二大入賞装置３７の第二大入賞口扉６０の開閉動作が連続して行われ、第二大入賞装置３７の開放状態と閉鎖状態との連続した切り替え（連続作動）が行われる。これにより、遊技者は通常の遊技状態での遊技よりも多くの（小当り遊技である場合よりも多くの）賞球数を獲得することができる。
【００７１】
なお、Ｖ大当り遊技において第二大入賞装置３７の１回当りの開放状態は、（第）所定時間（本実施形態では、３０秒）経過後、又は所定個数の遊技球が第二大入賞口５８に入賞した場合に終了し、閉鎖状態へと切り替えられる。そして、第二大入賞装置３７は、閉鎖状態へと切り替えられた後、所定時間（本実施形態では、３秒）経過後に再び開放状態に切り替えられる。なお、本実施形態においては、第一大入賞装置３６の第一大入賞口５５に遊技球が入球（入賞）すると、入球１個あたり１４個の賞球数が払い出される。また、第二大入賞装置３７の第二大入賞口５８に遊技球が入球（入賞）すると、入球１個あたり３個の賞球数が払い出される。
【００７２】
このように、特図１大当り遊技、特図２大当り遊技及びＶ大当り遊技では、第一大入賞装置３６又は第二大入賞装置３７の連続作動が所定回数行われる。なお、以下では、大当り遊技における第一大入賞装置３６又は第二大入賞装置３７の連続作動のうち１回当りの作動を「ラウンド」と称する。なお、本実施形態においてＶ大当り遊技は、（小当り遊技における第二大入賞装置３７の開放状態と閉鎖状態との１回の切り替えを含めて）第二大入賞装置３７の連続作動が所定条件に応じて５回又は１３回行われる。すなわち、Ｖ大当り遊技は、５ラウンド（５Ｒ）又は１３ラウンド（１３Ｒ）行われる。
【００７３】
なお、大当り遊技状態は、条件装置が作動することにより通常の遊技状態から移行される。なお、条件装置とは、役物連続作動装置が作動するための条件となる装置である。また、役物連続作動装置とは、大入賞装置（第一大入賞装置３６又は第二大入賞装置３７）を連続して作動させるための装置である。
【００７４】
また、パチンコ遊技機においては、特別図柄遊技（第一特別図柄遊技及び第二特別図柄遊技）に関する内部的な遊技状態として、前述した小当り遊技状態及び大当り遊技状態に加えて、特別図柄遊技における時短遊技状態が設けられる。
【００７５】
特別図柄遊技における時短遊技状態とは、特別図柄遊技において変動時間短縮機能が作動して通常の（変動時間短縮機能が作動していない）遊技状態から移行する遊技状態である。このように時短遊技状態となると、特別図柄１及び特別図柄２の変動時間が通常の遊技状態での遊技よりも短縮される。なお、本実施形態において特別図柄１及び特別図柄２の変動時間は、２秒に設定されている（図２７参照）。
【００７６】
また、パチンコ遊技機においては、普通図柄遊技に関する内部的な遊技状態として、普通図柄遊技における時短遊技状態が設けられる。
【００７７】
普通図柄遊技における時短遊技状態とは、普通図柄遊技において変動時間短縮機能が作動して通常の（変動時間短縮機能が作動していない）遊技状態から移行する遊技状態である。時短遊技状態となると、普通図柄の変動時間が通常の遊技状態での遊技よりも短縮される。なお、本実施形態において普通図柄の変動時間は、３秒に設定されている（図２７参照）。また、本実施形態において時短遊技状態への移行は、特別図柄遊技における時短遊技状態への移行に従属して決定される。
【００７８】
また、本実施形態においては、普通図柄遊技において変動時間短縮機能が作動すると、普通図柄遊技における普通電動役物開放延長機能が同時に作動するように設定される。
【００７９】
普通図柄遊技において普通電動役物開放延長機能が作動すると、可変入賞装置３５が開放状態となる１回当りの時間が、通常の（普通電動役物開放延長機能が作動していない）遊技状態での遊技よりも延長される。
【００８０】
このように、普通図柄遊技において時短遊技状態となると、特図２用始動口３４に遊技球が入賞し易い遊技状態（いわゆる電サポ遊技状態）となる。すなわち、普通図柄遊技において時短遊技状態となると、遊技者に有利な遊技状態となる。
【００８１】
なお、本実施形態では、普通図柄遊技において変動時間短縮機能が作動すると、普通図柄遊技における普通電動役物開放延長機能が同時に作動するように設定される構成としたが、これに限定するものではない。
【００８２】
なお、以下では、特別図柄遊技における時短遊技状態及び普通図柄遊技における時短遊技状態を「時短状態」と称する。また、時短状態での遊技を「時短遊技」と称する。
【００８３】
なお、前記「時短状態」は、本発明に係る「特定遊技状態」の一実施形態である。本発明に係る「特定遊技状態」は、前記「時短状態」の構成に限定するものではない。例えば本発明に係る「特定遊技状態」は、普通図柄遊技における確率変動機能が作動するように設定される構成であってもよい。なお、普通図柄遊技における確率変動機能とは、作動すると、普通図柄遊技の当り判定の結果が当りであると判定される確率が、通常の（普通図柄確率変動機能が作動していない）遊技状態での遊技よりも高確率となるものである。
【００８４】
以下では、主としてパチンコ遊技機の遊技動作を制御する主制御回路１００の構成について、図４を用いて説明する。
【００８５】
主制御回路１００は、図４に示すように、主として、主制御ＣＰＵ１０１と、主制御ＲＯＭ１０５と、主制御ＲＡＭ１０４と、主制御入出力回路１０２と、により構成される。
主制御ＣＰＵ１０１と主制御ＲＯＭ１０５と主制御ＲＡＭ１０４と主制御入出力回路１０２とは、バスによって相互に接続されている。主制御ＲＯＭ１０５には、制御プログラムや各種の制御処理に使用される制御データ等が予め記憶されている。主制御ＲＡＭ１０４には、主制御ＣＰＵ１０１による処理事項が一時的に記憶される。そして、主制御ＣＰＵ１０１は、主制御ＲＡＭ１０４をワークエリアとし、主制御ＲＯＭ１０５に予め記憶されている制御プログラムや各種の制御データ等に基づいて制御動作を実行する。また、主制御ＣＰＵ１０１には、主制御クロック回路１０３が接続される。主制御クロック回路１０３は、クロック信号を生成し、当該クロック信号が所定周期（例えば、４ｍｓ）毎に主制御ＣＰＵ１０１に入力される。
【００８６】
主制御入出力回路１０２は、外部にて出力された各種の信号の受信部として、始動ゲートセンサ５１、特図１用始動口センサ５２、特図２用始動口センサ５３、第一大入賞口センサ５６、第二大入賞口センサ５９、特定領域センサ６２、通常領域センサ６４等と、電気的に接続されている。また、主制御入出力回路１０２は、主制御ＣＰＵ１０１から発信された各種の信号（コマンド）の送信部として、普図ＬＥＤ表示部６６、特図ＬＥＤ表示部６７等と、電気的に接続されている。
【００８７】
主制御ＲＡＭ１０４には、図７に示すように、主制御クロック回路１０３から主制御ＣＰＵ１０１にクロック信号が入力される毎に「０」から「２３９」まで繰り返し１ずつ加算した数値が格納される大当りカウンタ１２１が設けられる。
【００８８】
また、主制御ＲＡＭ１０４には、図７に示すように、主制御クロック回路１０３から主制御ＣＰＵ１０１にクロック信号が入力される毎に「０」から「２３９」まで繰り返し１ずつ加算した数値が格納される大当り図柄選択カウンタ１２２が設けられる。
【００８９】
主制御ＲＡＭ１０４には、図７に示すように、主制御クロック回路１０３から主制御ＣＰＵ１０１にクロック信号が入力される毎に「０」から「３９」まで繰り返し１ずつ加算した数値が格納される小当り図柄選択カウンタ１２３が設けられる。
【００９０】
また、主制御ＲＡＭ１０４には、図７に示すように、主制御クロック回路１０３から主制御ＣＰＵ１０１にクロック信号が入力される毎に「０」から「１９９」まで繰り返し１ずつ加算した数値が格納される変動パターン選択カウンタ１２４が設けられる。
【００９１】
また、主制御ＲＡＭ１０４には、図７に示すように、特別図柄遊技の特別図柄（特別図柄１及び特別図柄２）の変動表示時間の計測等に使用される特図用タイマカウンタ１２５が設けられる。
【００９２】
また、主制御ＲＡＭ１０４には、図７に示すように、特別図柄遊技の特別図柄（特別図柄１及び特別図柄２）の変動回数の計測に使用される特図用変動回数カウンタ１２６が設けられる。
【００９３】
また、主制御ＲＡＭ１０４には、図７に示すように、特別図柄遊技の特別図柄（特別図柄１及び特別図柄２）の変動保留回数の計測に使用される特図変動保留回数カウンタ１２７が設けられる。特図変動保留回数カウンタ１２７には、「０」から「４」までの数値が格納される。なお、特別図柄遊技の変動保留回数の上限は４回であり、特図変動保留回数カウンタ１２７のカウンタ値は最大で「４」となる。
【００９４】
また、主制御ＲＡＭ１０４には、図７に示すように、第一大入賞装置３６の第一大入賞口５５及び第二大入賞装置３７の第二大入賞口５８への遊技球の入賞数の計測に使用される大入賞口入賞数カウンタ１２８が設けられる。
【００９５】
また、主制御ＲＡＭ１０４には、図７に示すように、第一大入賞装置３６及び第二大入賞装置３７の連続作動（ラウンド）回数の計測に使用される大入賞装置連続作動回数カウンタ１２９が設けられる。
大入賞装置連続作動回数カウンタ１２９には、「１」から「１３」までの数値が格納される。前記数値は、第一大入賞装置３６又は第二大入賞装置３７の連続作動（ラウンド）毎に１ずつ加算される。なお、第一大入賞装置３６及び第二大入賞装置３７の連続作動（ラウンド）回数の上限は１３回であり、大入賞装置連続作動回数カウンタ１２９のカウンタ値は最大で「１３」となる。
【００９６】
また、主制御ＲＡＭ１０４には、図７に示すように、各種のカウンタのカウンタ値が適宜に記憶される複数の主制御カウンタ値記憶エリア１３２が設けられる。
【００９７】
また、主制御ＲＯＭ１０５には、図８及び図９（ａ）に示すように、特図１大当り判定テーブル１６１が格納される。特図１大当り判定テーブル１６１とは、大当りカウンタ１２１のカウンタ値に基づいて第一特別図柄遊技の大当り判定の結果が特図１大当りであるか否かの判定に使用されるものである。
【００９８】
特図１大当り判定テーブル１６１は、大当りカウンタ１２１のカウンタ値を示す「カウンタ値」と、この「カウンタ値」に対応する「判定結果」（大当り判定）と、により構成される。なお、本実施形態では、大当りカウンタ１２１のカウンタ値が「７」である場合に、判定結果が特図１大当りとされ、カウンタ値がそれ以外である場合に、判定結果がハズレとされる。つまり、特別図柄遊技の大当り判定の結果が特図１大当りであると判定される確率は、１／２４０に設定されている。
【００９９】
また、主制御ＲＯＭ１０５には、図８及び図９（ｂ）に示すように、特図２大当り判定テーブル１６２が格納される。特図２大当り判定テーブル１６２とは、大当りカウンタ１２１のカウンタ値に基づいて第二特別図柄遊技の大当り判定の結果が特図２大当りであるか、又は第二特別図柄遊技の小当り判定の結果が当り（小当り）であるか、又は第二特別図柄遊技の大当り判定の結果及び小当り判定の結果が両方ともハズレであるか、の判定に使用されるものである。
【０１００】
特図２大当り判定テーブル１６２は、大当りカウンタ１２１のカウンタ値を示す「カウンタ値」と、この「カウンタ値」に対応する「判定結果」（判定）と、により構成される。なお、本実施形態では、大当りカウンタ１２１のカウンタ値が「７」である場合に大当り判定の結果が特図２大当りであると判定され、大当りカウンタ１２１のカウンタ値が「０」から「６」、「８」から「２３８」である場合に小当り判定の結果が当り（小当り）であると判定され、大当りカウンタ１２１のカウンタ値が「２３９」である場合に大当り判定及び小当り判定の結果が両方ともハズレであると判定される。つまり、大当り判定の結果が特図２大当りであると判定される確率は１／２４０に設定され、小当り判定の結果が当り（小当り）であると判定される確率は２３８／２４０に設定され、大当り判定及び小当り判定の結果が両方ともハズレであると判定される確率は１／２４０に設定される。
【０１０１】
また、主制御ＲＯＭ１０５には、図８及び図１０に示すように、特図２小当り図柄選択テーブル１６５が格納される。特図２小当り図柄選択テーブル１６５とは、第二特別図柄遊技の小当り判定の結果が当りである場合に、小当り図柄選択カウンタ１２３のカウンタ値に基づいて小当り図柄を選択する際に使用されるものである。
【０１０２】
特図２小当り図柄選択テーブル１６５は、小当り図柄選択カウンタ１２３のカウンタ値を示す「カウンタ値」と、この「カウンタ値」に対応する「判定結果」（小当り図柄）と、により構成される。
【０１０３】
なお、本実施形態において、図１０に示した「時短の有無」とは、遊技状態が時短状態であるときにＶ大当り遊技が実行された場合、前記Ｖ大当り遊技の実行後に遊技状態が再び時短状態へと移行すること（以下では、「時短状態の継続」と称する。）を指すものである。
【０１０４】
また、主制御ＲＯＭ１０５には、図８及び図１１に示すように、大当り図柄選択テーブル１６６が格納される。大当り図柄選択テーブル１６６とは、第一特別図柄遊技の大当り判定の結果が特図１大当りである場合、又は第二特別図柄遊技の大当り判定の結果が特図２大当りである場合に、大当り図柄選択カウンタ１２２のカウンタ値に基づいて大当り図柄を選択する際に使用されるものである。
【０１０５】
大当り図柄選択テーブル１６６は、大当り図柄選択カウンタ１２２のカウンタ値を示す「カウンタ値」と、この「カウンタ値」に対応する「判定結果」（大当り図柄）と、により構成される。
【０１０６】
なお、本実施形態においては、選択された大当り図柄に基づいて、大当り遊技（特図２大当り遊技又は特図１大当り遊技）が終了した後に時短状態へと遊技状態が移行するか否かが設定される。
なお、本実施形態において、図１１に示した「時短の有無」とは、特図１大当り遊技又は特図２大当り遊技が実行された場合、これらの大当り遊技の実行後に遊技状態が時短状態へと移行することを指すものである。
【０１０７】
より詳細には、大当り図柄選択カウンタ１２２のカウンタ値が「０」から「１１９」である場合に、大当り図柄として「大当り図柄Ａ」が選択される。そして、当該「大当り図柄Ａ」に基づいて、大当り遊技（特図２大当り遊技又は特図１大当り遊技）が終了した後に時短状態へと遊技状態が移行することが設定される。このように、５０％の確率で大当り遊技（特図２大当り遊技又は特図１大当り遊技）が終了した後に時短状態へと遊技状態が移行することが設定される。
【０１０８】
また、大当り図柄選択カウンタ１２２のカウンタ値が「１２０」から「２３９」である場合に、大当り図柄として「大当り図柄Ｂ」が選択される。そして、当該「大当り図柄Ｂ」に基づいて、大当り遊技（特図２大当り遊技又は特図１大当り遊技）が終了した後に時短状態へと遊技状態が移行しないことが設定される。このように、５０％の確率で大当り遊技（特図２大当り遊技又は特図１大当り遊技）が終了した後に時短状態へと遊技状態が移行しないことが設定される。
【０１０９】
このように、大当り図柄の選択においては、選択される大当り図柄が「大当り図柄Ａ」である場合に遊技者に有利な遊技状態となり、選択される大当り図柄が「大当り図柄Ｂ」である場合に遊技者に有利である遊技状態とならない。
【０１１０】
次に、主として遊技の演出動作を制御するサブ制御回路９０の構成について、図４を用いて説明する。
【０１１１】
サブ制御回路９０は、図４に示すように、主として、サブ制御ＣＰＵ９１と、サブ制御ＲＯＭ９５と、サブ制御ＲＡＭ９４と、サブ制御入出力回路９２と、により構成される。
これらのサブ制御ＣＰＵ９１とサブ制御ＲＯＭ９５とサブ制御ＲＡＭ９４とサブ制御入出力回路９２とは、バスによって相互に接続されている。サブ制御ＲＯＭ９５には、制御プログラムや各種の制御処理に使用される制御データ等が予め記憶されている。サブ制御ＲＡＭ９４には、サブ制御ＣＰＵ９１による処理事項が一時的に記憶されている。そして、サブ制御ＣＰＵ９１は、サブ制御ＲＡＭ９４をワークエリアとし、サブ制御ＲＯＭ９５に予め記憶されている制御プログラムや各種の制御データ等に基づいて制御動作を実行する。サブ制御ＣＰＵ９１には、サブ制御クロック回路９３が接続される。サブ制御クロック回路９３は、クロック信号を生成し、当該クロック信号が所定周期（例えば、４ｍｓ）毎にサブ制御ＣＰＵ９１に入力される。
【０１１２】
サブ制御入出力回路９２は、外部にて出力された各種の信号の受信部として、主制御回路１００の主制御入出力回路１０２等と、電気的に接続されている。また、サブ制御入出力回路９２は、サブ制御ＣＰＵ９１から発信された各種の信号（コマンド）の送信部として、表示制御回路２００の表示制御入出力回路２０２等と、電気的に接続されている。
【０１１３】
サブ制御ＲＡＭ９４には、図１２に示すように、サブ制御クロック回路９３からサブ制御ＣＰＵ９１にクロック信号が入力される毎に「０」から「９９」まで繰り返し１ずつ加算した数値が格納される時短時予告演出選択カウンタ８１が設けられる。
【０１１４】
また、サブ制御ＲＯＭ９５には、図１３及び図１４に示すように、時短時予告演出選択テーブル８３が格納される。時短時予告演出選択テーブル８３とは、遊技状態が時短状態へと移行した後の予告演出を、時短時予告演出選択カウンタ８１のカウンタ値に基づいて選択する際に使用されるものである。以下では、遊技状態が時短状態へと移行した後に実行される予告演出を「時短時予告演出」と称する。
【０１１５】
時短時予告演出選択テーブル８３は、後述するＶ大当りの種類毎に、時短時予告演出選択カウンタ８１のカウンタ値を示す「カウンタ値」と、この「カウンタ値」に対応する「判定結果」（時短時予告演出の具体的な内容）と、により構成される。
なお、時短時予告演出選択テーブル８３の構成についての詳細な説明は後述する。
【０１１６】
次に、主として装飾図柄表示装置４０の液晶表示部６８の表示を制御する表示制御回路２００の構成について、図４を用いて説明する。
【０１１７】
表示制御回路２００は、図４に示すように、主として、表示制御ＣＰＵ２０１と、表示制御ＲＯＭ２０５と、表示制御ＲＡＭ２０４と、ＶＤＰ２０６と、ＶＲＯＭ２０７と、ＶＲＡＭ２０８と、表示制御入出力回路２０２と、により構成される。
これらの表示制御ＣＰＵ２０１と表示制御ＲＯＭ２０５と表示制御ＲＡＭ２０４とＶＤＰ２０６とＶＲＯＭ２０７とＶＲＡＭ２０８と表示制御入出力回路２０２とは、バスによって相互に接続されている。表示制御ＲＯＭ２０５には、制御プログラムや各種の制御処理に使用される制御データ等が予め記憶されている。表示制御ＲＡＭ２０４には、表示制御ＣＰＵ２０１による処理事項が一時的に記憶されている。ＶＲＯＭ２０７には、表示プログラムや各種の表示処理に使用される表示データ等が予め記憶されている。ＶＲＡＭ２０８には、ＶＤＰ２０６による処理事項が一時的に記憶されている。なお、表示制御ＣＰＵ２０１には、表示制御クロック回路２０３が接続される。表示制御クロック回路２０３は、クロック信号を生成し、当該クロック信号が所定周期（例えば、４ｍｓ）毎に表示制御ＣＰＵ２０１に入力される。
【０１１８】
表示制御ＣＰＵ２０１は、表示制御ＲＡＭ２０４をワークエリアとし、サブ制御ＣＰＵ９１から発信された各種の信号（コマンド）に基づいて表示制御ＲＯＭ２０５に予め記憶されている制御プログラムや各種の制御データ等に基づいた信号（コマンド）を設定し、ＶＤＰ２０６に出力する。ＶＤＰ２０６は、表示制御ＣＰＵ２０１からの信号（コマンド）に応じた表示データをＶＲＯＭ２０７から選択し、ＬＣＤ回路２０９を介して装飾図柄表示装置４０に送信する。
【０１１９】
ここで、「表示データ」とは、時短時予告演出を含む種々の演出の映像（例えば、リーチ演出や背景演出や擬似連続表示演出や先読み予告演出等）や複数の装飾図柄の変動（複数の装飾図柄の演出内容）や背景画面等を表示する複数のビデオデータや、表示制御ＣＰＵ２０１からの信号（コマンド）に応じた前記ビデオデータの表示位置や表示タイミング等に関するデータを指すものである。つまり、ＶＤＰ２０６は、表示制御ＣＰＵ２０１からの信号（コマンド）に応じて、例えば複数の装飾図柄の変動と共にリーチ演出の映像を表示する等、大当り遊技状態への移行を想起させるような演出を装飾図柄表示装置４０の液晶表示部６８に表示して、遊技者の興趣を高めることができる。
【０１２０】
表示制御入出力回路２０２は、外部にて出力された各種の信号の受信部として、サブ制御回路９０のサブ制御入出力回路９２等と、電気的に接続されている。また、表示制御入出力回路２０２は、ＶＤＰ２０６から発信された各種の信号（コマンド）の送信部として、ＬＣＤ回路２０９等と、電気的に接続されている。
【０１２１】
以下では、パチンコ遊技機の遊技の流れについて、図１５のフローチャートを用いて簡単に説明する。
【０１２２】
まず、ステップＳ１０１において、始動口への入賞遊技が行われる。
なお、始動口への入賞遊技についての詳細な説明は後述する。
【０１２３】
そして、始動口への入賞遊技が終了すると、ステップＳ１０２において、特別図柄遊技が開始され、特別図柄（特別図柄１又は特別図柄２）の変動表示が開始される。そして、特別図柄１又は特別図柄２の変動が開始されると、（１）ステップＳ１０３において大当り判定の結果が特図１大当り又は特図２大当り、（２）ステップ１０４において第二特別図柄遊技の小当り判定の結果が小当り、（３）ステップＳ１０５において特別図柄遊技（第一特別図柄遊技及び第二特別図柄遊技）の大当り判定の結果及び第二特別図柄遊技の小当り判定の結果がハズレ、という三つの結果のうちの何れかの結果に決定される。
【０１２４】
そして、大当り判定の結果が特図１大当り又は特図２大当りである場合（ステップＳ１０３参照）には、ステップＳ１０６において大当り遊技として特図１大当り遊技又は特図２大当り遊技が開始される。そして、特図１大当り遊技又は特図２大当り遊技が終了すると、所定の抽選結果に応じて、ステップＳ１０７において時短遊技が開始されるか、又は時短遊技が開始されずにパチンコ遊技機の遊技は元に戻される。なお、このような遊技の流れは、デジパチ機（旧第一種タイプ）と呼ばれるタイプの機種と同様である。
【０１２５】
また、第二特別図柄遊技の小当り判定の結果が小当りである場合（ステップＳ１０４参照）には、ステップＳ１０８において小当り遊技が開始される。そして、ステップＳ１０９及びＳ１１１において、小当り遊技が開始されたときに第二大入賞口５８のＶ領域６１に遊技球が入賞した場合には、大当り遊技としてＶ大当り遊技が開始される。そして、Ｖ大当り遊技が終了すると、所定の抽選結果に応じて、ステップＳ１０７において時短遊技が開始されるか、又は時短遊技が開始されずにパチンコ遊技機の遊技は元に戻される。これに対して、ステップＳ１１０において、小当り遊技が開始されたときに第二大入賞口５８のＶ領域６１に遊技球が入賞しなかった場合には、大当り遊技は開始されずに、パチンコ遊技機の遊技は元に戻される。なお、このような遊技の流れは、羽根物（旧第二種タイプ）と呼ばれるタイプの機種と同様である。
【０１２６】
また、第一特別図柄遊技及び第二特別図柄遊技の大当り判定の結果と第二特別図柄遊技の小当り判定の結果とがハズレである場合（ステップＳ１０５参照）には、大当り遊技や小当り遊技が開始されることなく、パチンコ遊技機の遊技は元に戻される。
【０１２７】
以下では、前記ステップＳ１０１に示す「始動口への入賞遊技」について、図１６のフローチャートを用いて説明する。
【０１２８】
なお、始動口への入賞遊技においては、２種類の遊技が行われる。より詳細には、以下に示すステップＳ２０１、Ｓ２０２、及びＳ２０３を経由する遊技（以下では、単に「始動口への第一の入賞遊技」と称する。）と、ステップＳ２０４を経由する遊技（以下では、単に「始動口への第二の入賞遊技」と称する。）である。
【０１２９】
まず、始動口への第一の入賞遊技について説明する。
【０１３０】
ステップＳ２０１において、始動ゲート３２に遊技球を入賞させる。なお、時短遊技においては、いわゆる右打ちを行って始動ゲート３２に遊技球を入賞させる。始動ゲート３２に遊技球が入賞すると、当該入賞に基づいて普通図柄遊技が行われる。
【０１３１】
ステップＳ２０２において、ステップＳ２０１にて普通図柄遊技の当り判定の結果が当りである場合に、特図２用始動口３４に遊技球が入賞可能な開放状態へと可変入賞装置３５が切り替えられる。
【０１３２】
ステップＳ２０３において、ステップＳ２０２にて開放状態へと切り替えられた可変入賞装置３５の特図２用始動口３４に遊技球を入賞させる。なお、特図２用始動口３４に遊技球が入賞すると、当該入賞に基づいて第二特別図柄遊技が開始される。
【０１３３】
このように、始動口への第一の入賞遊技においては、特図２用始動口３４への遊技球の入賞に基づいて第二特別図柄遊技が開始される。
【０１３４】
次に、始動口への第二の入賞遊技について説明する。
始動口への第二の入賞遊技は、主として（時短遊技ではない）通常遊技において行われるものである。
【０１３５】
ステップＳ２０４において、特図１用始動口３３に遊技球を入賞させる。なお、特図１用始動口３３に遊技球が入賞すると、当該入賞に基づいて第一特別図柄遊技が開始される。
【０１３６】
このように、始動口への第二の入賞遊技においては、特図１用始動口３３への遊技球の入賞に基づいて第一特別図柄遊技が開始される。
【０１３７】
以下では、主制御回路１００の特別図柄遊技（第一特別図柄遊技及び第二特別図柄遊技）の処理について、図１７から図１９のフローチャートを用いて説明する。
なお、以下において特に説明がなければ、第一特別図柄遊技及び第二特別図柄遊技を単に「特別図柄遊技」と、特別図柄１及び特別図柄２を単に「特別図柄」と、特図１大当り遊技、特図２大当り遊技及びＶ大当り遊技を単に「大当り遊技」と、それぞれ総称する。
【０１３８】
ステップＳ３０１において、主制御ＣＰＵ１０１は、特図１用始動口３３又は特図２用始動口３４に遊技球が入賞したか否かを判定する。
主制御ＣＰＵ１０１は、特図１用始動口３３又は特図２用始動口３４に遊技球が入賞したと判定した場合、つまり主制御ＣＰＵ１０１が特図１用始動口センサ５２の入賞信号又は特図２用始動口センサ５３の入賞信号を受信した場合には、ステップＳ３０２へ移行する。
一方、主制御ＣＰＵ１０１は、特図１用始動口３３及び特図２用始動口３４に遊技球が入賞していないと判定した場合、つまり主制御ＣＰＵ１０１が特図１用始動口センサ５２の入賞信号及び特図２用始動口センサ５３の入賞信号を受信していない場合には、ステップＳ３０４へ移行する。
【０１３９】
ステップＳ３０２において、主制御ＣＰＵ１０１は、特別図柄遊技の特別図柄の変動保留回数が４以上であるか否かを判定する。
主制御ＣＰＵ１０１は、特別図柄遊技の特別図柄の変動保留回数が４以上であると判定した場合、つまり特図変動保留回数カウンタ１２７のカウンタ値が「４」である場合には、ステップＳ３０４へ移行する。
一方、主制御ＣＰＵ１０１は、特別図柄遊技の特別図柄の変動保留回数が４以上でないと判定した場合、つまり特図変動保留回数カウンタ１２７のカウンタ値が「４」でない場合には、ステップＳ３０３へ移行する。
【０１４０】
ステップＳ３０３において、主制御ＣＰＵ１０１は、現在の大当りカウンタ１２１や、大当り図柄選択カウンタ１２２、小当り図柄選択カウンタ等のカウンタ値を読み出して、適宜の主制御カウンタ値記憶エリア１３２に格納する。
主制御ＣＰＵ１０１は、ステップＳ３０３の処理を行った後、ステップＳ３０４へ移行する。
【０１４１】
ステップＳ３０４において、主制御ＣＰＵ１０１は、遊技状態が大当り遊技状態であるか否かを判定する。
主制御ＣＰＵ１０１は、遊技状態が大当り遊技状態であると判定した場合には、主制御回路１００の特別図柄遊技の処理を元に戻す。
一方、主制御ＣＰＵ１０１は、遊技状態が大当り遊技状態でないと判定した場合には、ステップＳ３０５へ移行する。
【０１４２】
ステップＳ３０５において、主制御ＣＰＵ１０１は、特別図柄表示装置３９の特図ＬＥＤ表示部６７に表示された特別図柄が変動中であるか否かを判定する。
主制御ＣＰＵ１０１は、特別図柄表示装置３９の特図ＬＥＤ表示部６７に表示された特別図柄が変動中であると判定した場合には、ステップＳ３１４へ移行する。
一方、主制御ＣＰＵ１０１は、特別図柄表示装置３９の特図ＬＥＤ表示部６７に表示された特別図柄が変動中でないと判定した場合には、ステップＳ３０６へ移行する。
【０１４３】
ステップＳ３０６において、主制御ＣＰＵ１０１は、特図ＬＥＤ表示部６７に表示された特別図柄が表示時間（特別図柄停止図柄表示時間）中であるか否かを判定する。
主制御ＣＰＵ１０１は、特図ＬＥＤ表示部６７に表示された特別図柄が表示時間（特別図柄停止図柄表示時間）中であると判定した場合、つまり特図用タイマカウンタ１２５のカウンタ値が後述するステップＳ３１７において設定された特別図柄停止図柄表示時間内である場合には、ステップＳ３１８へ移行する。
一方、主制御ＣＰＵ１０１は、特図ＬＥＤ表示部６７に表示された特別図柄が表示時間（特別図柄停止図柄表示時間）中でないと判定した場合、つまり特図用タイマカウンタ１２５のカウンタ値が後述するステップＳ３１７において設定された特別図柄停止図柄表示時間内でない場合には、ステップＳ３０７へ移行する。
【０１４４】
ステップＳ３０７において、主制御ＣＰＵ１０１は、特別図柄遊技の特別図柄の変動保留回数が０（ゼロ）であるか否かを判定する。
主制御ＣＰＵ１０１は、特別図柄遊技の特別図柄の変動保留回数が０（ゼロ）であると判定した場合、つまり特図変動保留回数カウンタ１２７のカウンタ値が「０」である場合には、主制御回路１００の特別図柄遊技の処理を元に戻す。
一方、主制御ＣＰＵ１０１は、特別図柄遊技の特別図柄の変動保留回数が０（ゼロ）でないと判定した場合、つまり特図変動保留回数カウンタ１２７のカウンタ値が「０」でない場合には、ステップＳ３０８へ移行する。
【０１４５】
ステップＳ３０８において、主制御ＣＰＵ１０１は、第一特別図柄遊技の大当り判定、又は第二特別図柄遊技の大当り判定及び小当り判定を行う。
具体的には、第一特別図柄遊技の大当り判定を行う場合、主制御ＣＰＵ１０１は、ステップＳ３０３において適宜の主制御カウンタ値記憶エリア１３２に格納された大当りカウンタ１２１のカウンタ値と、特図１大当り判定テーブル１６１において当該カウンタ値に対応する判定結果とにより当該第一特別図柄遊技の大当り判定を行う。
一方、第二特別図柄遊技の大当り判定及び小当り判定を行う場合、主制御ＣＰＵ１０１は、ステップＳ３０３において適宜の主制御カウンタ値記憶エリア１３２に格納された大当りカウンタ１２１のカウンタ値と、特図２大当り判定テーブル１６２において当該カウンタ値に対応する判定結果とにより第二特別図柄遊技の大当り判定及び小当り判定を行う。
なお、第一特別図柄遊技の大当り判定を行うか、又は第二特別図柄遊技の大当り判定及び小当り判定を行うかは、前述したように、この判定が特図１用始動口３３への遊技球の入賞及び特図２用始動口３４への遊技球の入賞の２種類の遊技球の入賞の何れの側の入賞に基づいて行われるかに応じて決定される。
主制御ＣＰＵ１０１は、ステップＳ３０８の処理を行った後、ステップＳ３０９へ移行する。
【０１４６】
ステップＳ３０９において、主制御ＣＰＵ１０１は、Ｓ３０８での第一特別図柄遊技の大当り判定、又は第二特別図柄遊技の大当り判定の結果が大当りである場合には、大当り図柄の選択を行う。
具体的には、主制御ＣＰＵ１０１は、ステップＳ３０３において適宜の主制御カウンタ値記憶エリア１３２に格納された大当り図柄選択カウンタ１２２のカウンタ値と、大当り図柄選択テーブル１６６において当該カウンタ値に対応する判定結果と、により大当り図柄の選択を行う。なお、前述したように、大当り図柄が選択されると、当該選択された大当り図柄に基づいて、大当り遊技（特図２大当り遊技又は特図１大当り遊技）が終了した後に時短状態へと遊技状態が移行するか否か（時短状態が継続するか否か）が設定される。
【０１４７】
また、主制御ＣＰＵ１０１は、Ｓ３０８での第二特別図柄遊技の小当り判定の結果が当りである場合には、小当り図柄の選択を行う。
具体的には、主制御ＣＰＵ１０１は、ステップＳ３０３において適宜の主制御カウンタ値記憶エリア１３２に格納された小当り図柄選択カウンタ１２３のカウンタ値と、特図２小当り図柄選択テーブル１６５において当該カウンタ値に対応する判定結果と、により小当り図柄の選択を行う。図１０に示すように、小当り図柄は、図柄１から図柄４０まで設けられる。なお、小当り図柄が選択されると、当該選択された小当り図柄に基づいて、Ｖ大当りの種類（小当り遊技が終了した後に開始される大当り遊技）、ラウンド数、賞球数（期待値）（すなわち、各大当り種類に対して獲得が見込める遊技球の数の期待値）、及びＶ大当り遊技が終了した後における時短状態への遊技状態の移行の有無（時短状態の継続の有無）が設定される。
【０１４８】
なお、主制御ＣＰＵ１０１は、Ｓ３０８での第一特別図柄遊技の大当り判定、又は第二特別図柄遊技の大当り判定の結果が大当りでない場合、且つ第二特別図柄遊技の小当り判定の結果が当りである場合には、予め選択されたハズレ図柄を選択する。
【０１４９】
主制御ＣＰＵ１０１は、ステップＳ３０９の処理を行った後、ステップＳ３１１へ移行する。
【０１５０】
ステップＳ３１１において、主制御ＣＰＵ１０１は、特別図柄に関する変動パターンの選択を行う。
主制御ＣＰＵ１０１は、ステップＳ３０３において適宜の主制御カウンタ値記憶エリア１３２に格納された変動パターン選択カウンタ１２４のカウンタ値と、図示せぬ変動パターン選択テーブルにおいて当該カウンタ値に対応する判定結果と、により特別図柄に関する変動パターンの選択を行う。
主制御ＣＰＵ１０１は、ステップＳ３１１の処理を行った後、ステップＳ３１２へ移行する。
【０１５１】
ステップＳ３１２において、主制御ＣＰＵ１０１は、ステップＳ３１１において選択された特別図柄に関する変動パターン、及びステップＳ３０９において選択された図柄（大当り図柄、小当り図柄、又はハズレ図柄の何れか）をサブ制御回路９０へ送信する。
主制御ＣＰＵ１０１は、ステップＳ３１２の処理を行った後、ステップＳ３１３へ移行する。
【０１５２】
ステップＳ３１３において、主制御ＣＰＵ１０１は、特別図柄表示装置３９の特図ＬＥＤ表示部６７に表示された特別図柄の変動（変動表示）を開始させる。
主制御ＣＰＵ１０１は、ステップＳ３１３の処理を行った後、主制御回路１００の特別図柄遊技の処理を元に戻す。
【０１５３】
ステップＳ３０５から移行されたステップＳ３１４において、主制御ＣＰＵ１０１は、特別図柄の変動時間が予め設定された所定の特別図柄変動時間（特別図柄に関する変動パターン）を経過したか否かを判定する。
主制御ＣＰＵ１０１は、特別図柄の変動時間が予め設定された所定の特別図柄変動時間（特別図柄に関する変動パターン）を経過したと判定した場合、つまり特図用タイマカウンタ１２５のカウンタ値がステップＳ３１１において選択された特別図柄に関する変動パターンを経過した場合には、ステップＳ３１５へ移行する。
一方、主制御ＣＰＵ１０１は、特別図柄の変動時間が予め設定された所定の特別図柄変動時間（特別図柄に関する変動パターン）を経過していないと判定した場合、つまり特図用タイマカウンタ１２５のカウンタ値がステップＳ３１１において選択された特別図柄に関する変動パターンを経過していない場合には、主制御回路１００の特別図柄遊技の処理を元に戻す。
【０１５４】
ステップＳ３１５において、主制御ＣＰＵ１０１は、確定信号をサブ制御回路９０へ送信する。
主制御ＣＰＵ１０１は、ステップＳ３１５の処理を行った後、ステップＳ３１６へ移行する。
【０１５５】
ステップＳ３１６において、主制御ＣＰＵ１０１は、特図ＬＥＤ表示部６７に表示された特別図柄の変動（変動表示）を停止する。
主制御ＣＰＵ１０１は、ステップＳ３１６の処理を行った後、ステップＳ３１７へ移行する。
【０１５６】
ステップＳ３１７において、主制御ＣＰＵ１０１は、変動を停止した特別図柄の表示時間（特別図柄停止図柄表示時間）を設定する。
主制御ＣＰＵ１０１は、ステップＳ３１７の処理を行った後、ステップＳ３１８へ移行する。
【０１５７】
ステップＳ３１８において、主制御ＣＰＵ１０１は、ステップＳ３１６において変動を停止させた特別図柄の表示時間が、ステップＳ３１７において設定された特別図柄停止図柄表示時間を経過したか否かを判定する。
主制御ＣＰＵ１０１は、ステップＳ３１６において変動を停止させた特別図柄の表示時間が、ステップＳ３１７において設定された特別図柄停止図柄表示時間を経過したと判定した場合、つまり特図用タイマカウンタ１２５のカウンタ値がステップＳ３１７において設定された特別図柄停止図柄表示時間を経過した場合には、ステップＳ３１９へ移行する。
一方、主制御ＣＰＵ１０１は、ステップＳ３１６において変動を停止させた特別図柄の表示時間が、ステップＳ３１７において設定された特別図柄停止図柄表示時間を経過していないと判定した場合、つまり特図用タイマカウンタ１２５のカウンタ値がステップＳ３１７において設定された特別図柄停止図柄表示時間を経過していない場合には、主制御回路１００の特別図柄遊技の処理を元に戻す。
【０１５８】
ステップＳ３１９において、主制御ＣＰＵ１０１は、特別図柄遊技の大当り判定の結果が大当りであるか否かを判定する。
主制御ＣＰＵ１０１は、特別図柄遊技の大当り判定の結果が大当りであると判定した場合には、ステップＳ３２３へ移行する。
一方、主制御ＣＰＵ１０１は、特別図柄遊技の大当り判定の結果が大当りでない（すなわち、ハズレである）と判定した場合には、ステップＳ３２０へ移行する。
【０１５９】
ステップＳ３２０において、主制御ＣＰＵ１０１は、特別図柄遊技の小当り判定の結果が当りであるか否かを判定する。
主制御ＣＰＵ１０１は、特別図柄遊技の小当り判定の結果が当りであると判定した場合には、ステップＳ３２１へ移行する。
一方、主制御ＣＰＵ１０１は、特別図柄遊技の小当り判定の結果が当りでない（すなわち、ハズレである）と判定した場合には、主制御回路１００の特別図柄遊技の処理を元に戻す。
【０１６０】
ステップＳ３２１において、主制御ＣＰＵ１０１は、小当り遊技の処理を行う。
なお、主制御ＣＰＵ１０１の小当り遊技の処理についての詳細な説明は後述する。
主制御ＣＰＵ１０１は、ステップＳ３２１の処理を行った後、主制御回路１００の特別図柄遊技の処理を元に戻す。
【０１６１】
ステップＳ３２３において、主制御ＣＰＵ１０１は、条件装置の作動を開始する。
主制御ＣＰＵ１０１は、ステップＳ３２３の処理を行った後、ステップＳ３２４へ移行する。
【０１６２】
ステップＳ３２４において、主制御ＣＰＵ１０１は、役物連続作動装置の作動を開始する。
主制御ＣＰＵ１０１は、ステップＳ３２４の処理を行った後、ステップＳ３２５へ移行する。
【０１６３】
ステップＳ３２５において、主制御ＣＰＵ１０１は、特別図柄遊技における変動時間短縮機能の作動を終了する。
主制御ＣＰＵ１０１は、ステップＳ３２５の処理を行った後、ステップＳ３２６へ移行する。
【０１６４】
ステップＳ３２６において、主制御ＣＰＵ１０１は、普通図柄遊技における変動時間短縮機能の作動（さらには、普通電動役物開放延長機能の作動）を終了する。
主制御ＣＰＵ１０１は、ステップＳ３２６の処理を行った後、ステップＳ３２７へ移行する。
【０１６５】
ステップＳ３２７において、主制御ＣＰＵ１０１は、大当り遊技（より詳細には、特図１大当り遊技又は特図２大当り遊技）の処理を行う。
主制御ＣＰＵ１０１は、ステップＳ３２７の処理を行った後、主制御回路１００の特別図柄遊技の処理を元に戻す。
なお、主制御ＣＰＵ１０１は、大当り遊技が終了した後における時短状態への遊技状態の移行が設定されている場合には、大当り遊技の処理を行った後、特別図柄遊技における変動時間短縮機能の作動及び普通図柄遊技における変動時間短縮機能の作動（さらには、普通電動役物開放延長機能の作動）を開始する（すなわち、時短状態を継続させる）。
【０１６６】
なお、主制御回路１００の特別図柄遊技の処理によりサブ制御回路９０に変動パターンが送信されると、当該変動パターンに基づいて演出パターンが選択され、当該選択された演出パターンに基づいて装飾図柄遊技（複数の装飾図柄の変動表示）や種々の演出が開始される様子が装飾図柄表示装置４０に表示される。また、主制御回路１００の特別図柄遊技の処理によりサブ制御回路９０に確定信号が送信されると、当該確定信号に基づいて装飾図柄遊技（複数の装飾図柄の変動表示）や種々の演出が終了する様子が装飾図柄表示装置４０に表示される。
【０１６７】
以下では、主制御回路１００の小当り遊技の処理について、図２０のフローチャートを用いて詳細に説明する。
【０１６８】
ステップＳ４０３において、主制御ＣＰＵ１０１は、第二大入賞装置３７の第二大入賞口５８を開放状態とする。これにより、第二大入賞口５８に遊技球が入賞可能な状態となる。
主制御ＣＰＵ１０１は、ステップＳ４０３の処理を行った後、ステップＳ４０４へ移行する。
【０１６９】
ステップＳ４０４において、主制御ＣＰＵ１０１は、第二大入賞装置３７のＶ領域６１を開放状態とする。これにより、第二大入賞装置３７の第二大入賞口５８に入賞する遊技球は、Ｖ領域６１に入賞可能な状態となる。
主制御ＣＰＵ１０１は、ステップＳ４０４の処理を行った後、ステップＳ４０５へ移行する。
【０１７０】
ステップＳ４０５において、主制御ＣＰＵ１０１は、所定条件を満たした後に、第二大入賞装置３７のＶ領域６１を閉鎖状態とする。これにより、Ｖ領域６１は、遊技球が入賞不能な状態となる。
なお、本実施形態において、第二大入賞装置３７のＶ領域６１を閉鎖状態とするための所定条件とは、Ｖ領域６１が開放状態となってから所定時間を経過することとして設定される。
主制御ＣＰＵ１０１は、ステップＳ４０５の処理を行った後、ステップＳ４０６へ移行する。
【０１７１】
ステップＳ４０６において、主制御ＣＰＵ１０１は、所定条件を満たした後に、第二大入賞装置３７の第二大入賞口５８を閉鎖状態とする。これにより、第二大入賞口５８は、遊技球が入賞不能な状態となる。
なお、本実施形態において、第二大入賞装置３７の第二大入賞口５８を閉鎖状態とするための所定条件とは、第二大入賞口５８が開放状態となってから所定時間を経過することとして設定される。
主制御ＣＰＵ１０１は、ステップＳ４０６の処理を行った後、ステップＳ４０７へ移行する。
【０１７２】
ステップＳ４０７において、主制御ＣＰＵ１０１は、Ｖ領域６１を開放状態としてから閉鎖状態とするまでの間に当該Ｖ領域６１に遊技球が入賞したか否かを判定する。
主制御ＣＰＵ１０１は、Ｖ領域６１を開放状態としてから閉鎖状態とするまでの間に当該Ｖ領域６１に遊技球が入賞したと判定した場合には、ステップＳ４０８へ移行する。
一方、主制御ＣＰＵ１０１は、Ｖ領域６１を開放状態としてから閉鎖状態とするまでの間に当該Ｖ領域６１に遊技球が入賞していないと判定した場合には、主制御回路１００の小当り遊技の処理を元に戻す。
【０１７３】
ステップＳ４０８において、主制御ＣＰＵ１０１は、条件装置の作動を開始する。
主制御ＣＰＵ１０１は、ステップＳ４０８の処理を行った後、ステップＳ４０９へ移行する。
【０１７４】
ステップＳ４０９において、主制御ＣＰＵ１０１は、役物連続作動装置の作動を開始する。
主制御ＣＰＵ１０１は、ステップＳ４０９の処理を行った後、ステップＳ４１０へ移行する。
【０１７５】
ステップＳ４１０において、主制御ＣＰＵ１０１は、特別図柄遊技における変動時間短縮機能の作動を終了する。
主制御ＣＰＵ１０１は、ステップＳ４１０の処理を行った後、ステップＳ４１１へ移行する。
【０１７６】
ステップＳ４１１において、主制御ＣＰＵ１０１は、普通図柄遊技における変動時間短縮機能の作動（さらには、普通電動役物開放延長機能の作動）を終了する。
主制御ＣＰＵ１０１は、ステップＳ４１１の処理を行った後、ステップＳ４１２へ移行する。
【０１７７】
ステップＳ４１２において、主制御ＣＰＵ１０１は、Ｖ大当り遊技の処理を行う。
主制御ＣＰＵ１０１は、ステップＳ４１２の処理を行った後、主制御回路１００の小当り遊技の処理を元に戻す。
【０１７８】
このように、小当り遊技において、第二大入賞装置３７のＶ領域６１に遊技球が入賞すると、遊技状態が小当り遊技状態から大当り遊技状態へと移行し、大当り遊技（より詳細には、Ｖ大当り遊技）が開始される。
【０１７９】
次に、主制御回路１００から変動パターンに関する信号を受信した後の、サブ制御回路９０の装飾図柄遊技の処理について、図２１のフローチャートを用いて説明する。
【０１８０】
ステップＳ５０１において、サブ制御ＣＰＵ９１は、主制御回路１００にて選択された変動パターン（特別図柄変動時間）に関する信号及び図柄（大当り図柄、小当り図柄、又はハズレ図柄の何れか）をに関する信号を受信したか否かを判定する。
サブ制御ＣＰＵ９１は、主制御回路１００にて選択された変動パターン（大当り図柄、小当り図柄、又はハズレ図柄の何れか）をに関する信号を受信したと判定した場合には、ステップＳ５０２へ移行する。
一方、サブ制御ＣＰＵ９１は、主制御回路１００にて選択された変動パターンに関する信号を受信していないと判定した場合には、ステップＳ５０４へ移行する。
なお、サブ制御ＣＰＵ９１は、主制御回路１００にて選択された小当り図柄に関する信号を受信したと判定した場合に、現在の時短時予告演出選択カウンタ８１のカウンタ値を読み出して、適宜のサブ制御カウンタ値記憶エリアに格納する。
【０１８１】
ステップＳ５０２において、サブ制御ＣＰＵ９１は、各種の演出内容が規定された演出内容選択テーブルと、所定のカウンタのカウンタ値と、に基づいて、主制御回路１００にて選択された変動パターンに対応する演出内容を選択する。
サブ制御ＣＰＵ９１は、ステップＳ５０２の処理を行った後、ステップＳ５０３へ移行する。
【０１８２】
ステップＳ５０３において、サブ制御ＣＰＵ９１は、ステップＳ５０２における演出内容の選択結果に関する信号を、装飾図柄遊技の処理のために表示制御回路２００に送信する。
サブ制御ＣＰＵ９１は、ステップＳ５０３の処理を行った後、ステップＳ５０４へ移行する。
【０１８３】
ステップＳ５０４において、サブ制御ＣＰＵ９１は、予告演出（時短時予告演出）の選択の処理を行う。
サブ制御ＣＰＵ９１は、図１４に示すように、後述するＶ大当りの種類ごとに、ステップＳ５０１で格納された時短時予告演出選択カウンタ８１のカウンタ値に基づいて、時短時予告演出選択テーブル８３から予告演出（時短時予告演出）を選択する。
なお、サブ制御ＣＰＵ９１は、図１４に示すように、ステップＳ５０１で受信した小当り図柄により、Ｖ大当りの種類に関する情報を取得することができる。
サブ制御ＣＰＵ９１は、ステップＳ５０４の処理を行った後、ステップＳ５０５へ移行する。
【０１８４】
ステップＳ５０５において、サブ制御ＣＰＵ９１は、ステップＳ５０４にて選択された予告演出（時短時予告演出）に関する信号を、表示制御回路２００に送信する。
サブ制御ＣＰＵ９１は、ステップＳ５０５の処理を行った後、ステップＳ５０６へ移行する。
【０１８５】
ステップＳ５０６において、サブ制御ＣＰＵ９１は、主制御回路１００から確定信号を受信したか否かを判定する。
サブ制御ＣＰＵ９１は、主制御回路１００から確定信号を受信したと判定した場合には、ステップＳ５０７へ移行する。
一方、サブ制御ＣＰＵ９１は、主制御回路１００から確定信号を受信していないと判定した場合には、サブ制御回路９０の装飾図柄遊技の処理を元に戻す。
【０１８６】
ステップＳ５０７において、サブ制御ＣＰＵ９１は、主制御回路１００からの確定信号の受信に関する信号（装飾図柄の変動の停止命令）を、装飾図柄遊技の処理のために表示制御回路２００に送信する。
サブ制御ＣＰＵ９１は、ステップＳ５０７の処理を行った後、サブ制御回路９０の装飾図柄遊技の処理を元に戻す。
【０１８７】
次に、サブ制御回路９０から演出パターンに関する信号を受信した後の、表示制御回路２００の装飾図柄遊技の処理について、図２２のフローチャートを用いて説明する。
【０１８８】
ステップＳ６０１において、表示制御ＣＰＵ２０１は、サブ制御回路９０にて選択された演出パターンに関する信号を受信したか否かを判定する。
表示制御ＣＰＵ２０１は、サブ制御回路９０にて選択された演出パターンに関する信号を受信したと判定した場合には、ステップＳ６０２へ移行する。
一方、表示制御ＣＰＵ２０１は、サブ制御回路９０にて選択された演出パターンに関する信号を受信していないと判定した場合には、ステップＳ６０４へ移行する。
【０１８９】
ステップＳ６０２において、表示制御ＣＰＵ２０１は、図柄遊技を開始する。
より詳細には、表示制御ＣＰＵ２０１は、選択された演出パターンに関する信号に応じて設定された演出情報出に基づいて、複数の装飾図柄の変動を装飾図柄表示装置４０の液晶表示部６８に表示すると共に、種々の映像（例えば、リーチ演出や背景演出や擬似連続表示演出や先読み予告演出等）を表示する。
なお、表示制御ＣＰＵ２０１は、複数の装飾図柄の変動に関する信号や、種々の映像に関する信号をＶＤＰ２０６に送信する。ＶＤＰ２０６は、表示制御ＣＰＵ２０１から送信された信号に応じた表示データをＶＲＯＭ２０７から選択し、ＬＣＤ回路２０９を介して装飾図柄表示装置４０に送信する。
表示制御ＣＰＵ２０１は、ステップＳ６０２の処理を行った後、ステップＳ６０３へ移行する。
【０１９０】
ステップＳ６０３において、表示制御ＣＰＵ２０１は、サブ制御回路９０にて選択された予告演出（時短時予告演出）に関する信号を受信したか否かを判定する。
表示制御ＣＰＵ２０１は、サブ制御回路９０にて選択された予告演出（時短時予告演出）に関する信号を受信したと判定した場合には、ステップＳ６０４へ移行する。
一方、表示制御ＣＰＵ２０１は、サブ制御回路９０にて選択された予告演出（時短時予告演出）に関する信号を受信していないと判定した場合には、ステップＳ６０６へ移行する。
【０１９１】
ステップＳ６０４において、表示制御ＣＰＵ２０１は、時短時予告演出の表示を開始するための所定のタイミングとなったか否かを判定する。
表示制御ＣＰＵ２０１は、時短時予告演出の表示を開始するための所定のタイミングとなったと判定した場合には、ステップＳ６０５へ移行する。
一方、表示制御ＣＰＵ２０１は、時短時予告演出の表示を開始するための所定のタイミングとなっていないと判定した場合には、ステップＳ６０６へ移行する。
なお、時短時予告演出の表示を開始するための所定のタイミング（以下では、「時短時予告演出開始タイミング」と称する。）についての詳細な説明は後述する。
【０１９２】
ステップＳ６０５において、表示制御ＣＰＵ２０１は、時短時予告演出の表示を開始する。
なお、表示制御ＣＰＵ２０１は、受信した予告演出（時短時予告演出）に関する信号をＶＤＰ２０６に送信する。ＶＤＰ２０６は、表示制御ＣＰＵ２０１から送信された信号に応じた表示データをＶＲＯＭ２０７から選択し、ＬＣＤ回路２０９を介して装飾図柄表示装置４０に送信する。
【０１９３】
表示制御ＣＰＵ２０１は、ステップＳ６０５の処理を行った後、ステップＳ６０６へ移行する。
【０１９４】
ステップＳ６０６において、表示制御ＣＰＵ２０１は、サブ制御回路９０から確定信号の受信に関する信号（複数の装飾図柄の変動の停止命令）を受信したか否かを判定する。
表示制御ＣＰＵ２０１は、サブ制御回路９０から確定信号の受信に関する信号（複数の装飾図柄の変動の停止命令）を受信したと判定した場合には、ステップＳ６０７へ移行する。
一方、表示制御ＣＰＵ２０１は、サブ制御回路９０から確定信号の受信に関する信号（複数の装飾図柄の変動の停止命令）を受信していないと判定した場合には、ステップＳ６０８へ移行する。
【０１９５】
ステップＳ６０７において、表示制御ＣＰＵ２０１は、図柄遊技を停止する。
より詳細には、表示制御ＣＰＵ２０１は、選択された演出パターンに関する信号に応じて設定された演出情報に基づいて、複数の装飾図柄の変動の停止を装飾図柄表示装置４０の液晶表示部６８に表示すると共に、種々の映像（例えば、リーチ演出や背景演出や擬似連続表示演出や先読み予告演出等）の停止を表示する。
なお、表示制御ＣＰＵ２０１は、複数の装飾図柄の変動の停止に関する信号や、種々の映像の停止に関する信号をＶＤＰ２０６に送信する。ＶＤＰ２０６は、表示制御ＣＰＵ２０１から送信された信号に応じた表示データをＶＲＯＭ２０７から選択し、ＬＣＤ回路２０９を介して装飾図柄表示装置４０に送信する。
表示制御ＣＰＵ２０１は、ステップＳ６０７の処理を行った後、表示制御回路２００の装飾図柄遊技の処理を元に戻す。
【０１９６】
ステップＳ６０８において、表示制御ＣＰＵ２０１は、時短時予告演出の表示を停止するための所定のタイミングとなったか否かを判定する。
表示制御ＣＰＵ２０１は、時短時予告演出の表示を停止するための所定のタイミングとなったと判定した場合には、ステップＳ６０９へ移行する。
一方、表示制御ＣＰＵ２０１は、時短時予告演出の表示を停止するための所定のタイミングとなっていないと判定した場合には、表示制御回路２００の装飾図柄遊技の処理を元に戻す。
なお、時短時予告演出の表示を停止するための所定のタイミング（以下では、「時短時予告演出停止タイミング」と称する。）についての詳細な説明は後述する。
【０１９７】
ステップＳ６０９において、表示制御ＣＰＵ２０１は、予告演出（時短時予告演出）の表示を停止する。
表示制御ＣＰＵ２０１は、予告演出（時短時予告演出）の表示の停止に関する信号をＶＤＰ２０６に送信する。ＶＤＰ２０６は、表示制御ＣＰＵ２０１から送信された信号に応じた表示データをＶＲＯＭ２０７から選択し、ＬＣＤ回路２０９を介して装飾図柄表示装置４０に送信する。
表示制御ＣＰＵ２０１は、ステップＳ６０９の処理を行った後、表示制御回路２００の装飾図柄遊技の処理を元に戻す。
【０１９８】
以下では、時短時予告演出開始タイミング及び時短時予告演出停止タイミングについて、図２３から図２７を用いて詳細に説明する。
【０１９９】
まず、発射装置１６により発射された遊技球が大入賞装置ユニット７０における所定箇所に到達するまでの移動経路及び所要時間について、図２３から図２６を用いて説明する。
なお、遊技球を大入賞装置ユニット７０における所定箇所に到達するように発射させる場合には、遊技者は発射ハンドル１２の回動操作量を最大とし、いわゆる右打ちを行うこととなる。
【０２００】
発射装置１６により発射された遊技球の移動経路は、図２３の黒太矢印に示すように、誘導路７ａと、上側通路１８１と、右側通路１８２と、障害釘群１８３と、により構成される。
【０２０１】
誘導路７ａは、図示せぬ発射レール等を介して発射装置１６（図２参照）と接続されるものである。遊技者により右打ちが行われて発射装置１６から発射された遊技球は、前記発射レール等を介して下方から誘導路７ａ内に進入する。
【０２０２】
上側通路１８１は、ガイドレール３０の上部とセンター役物１５の上部との間に区画されるものである。上側通路１８１の左端部（遊技球の進入側の端部）は、誘導路７ａの遊技球の放出口と接続される。こうして、誘導路７ａの放出口から遊技領域７内に放出された遊技球は、左側から上側通路１８１に進入して右側へ向けて正面視で略円弧状に移動する。なお、上側通路１８１を移動する遊技球は、その勢いによりガイドレール３０の内側面に沿って移動することとなる。
【０２０３】
右側通路１８２は、ガイドレール３０の右部とセンター役物１５の右部との間に区画されるものである。右側通路１８２の上側端部（遊技球の進入側の端部）は、上側通路１８１の右側端部（遊技球の放出側の端部）と接続される。また、右側通路１８２の上側端部（遊技球の進入側の端部）には、遊技領域７側へ向けて突出した突出部１８５が設けられる。こうして、上側通路１８１から右側通路１８２に進入した遊技球は、突出部１８５に衝突して移動の勢いが抑えられた後に、上側から下側へ向けて正面視で略円弧状に移動する。なお、右側通路１８２の下部には、減速部１８４が設けられる。
【０２０４】
右側通路１８２の減速部１８４は、正面視で上方から下方へ向けてジグザグ状に形成されるものである。より詳細には、互いに対向するセンター役物１５の右部及びガイドレール３０の右部の減速部１８４側の面が凸凹状に形成されることにより、当該減速部１８４がジグザグ状に区画される。これにより、右側通路１８２を移動する遊技球は、減速部１８４を通過する際に、センター役物１５及びガイドレール３０に繰り返し衝突し、その移動の勢い（すなわち、移動の速度）が抑えられることとなる。
【０２０５】
障害釘群１８３は、複数の障害釘（不図示）が植設されるものである。障害釘群１８３は、遊技領域７の右下部、すなわち右側通路１８２から遊技球が放出される方向であって大入賞装置ユニット７０の概ね上方に配置される。こうして、右側通路１８２を通過した遊技球は、障害釘群１８３に向けて放出され、当該障害釘群１８３にて複数の障害釘に衝突しながら上方から大入賞装置ユニット７０側へ向けて落下する。
【０２０６】
このように、発射装置１６により発射された遊技球は、大入賞装置ユニット７０における所定箇所に到達するまでの移動経路として、図２３に示すように、誘導路７ａと、上側通路１８１と、右側通路１８２（減速部１８４）と、障害釘群１８３と、を順番に移動していく。
【０２０７】
ここで、上方から大入賞装置ユニット７０側へ向けて落下する遊技球は、第一大入賞口５５が開放状態である場合には、当該第一大入賞口５５に入賞する。
具体的には、図２４に示すように、上方から大入賞装置ユニット７０側へ向けて落下する遊技球（符号Ｐ１０参照）は、第一大入賞口扉５７が開放動作を行っている場合、第一大入賞口５５の内側に落下する（符号Ｐ１１参照）。そして、第一大入賞口５５の内側に落下した遊技球は、当該第一大入賞口５５の内側を左下方へ向けて移動した後、第一回収口７３から遊技盤４の後方に回収される（符号Ｐ１２参照）。
【０２０８】
また、上方から大入賞装置ユニット７０側へ向けて落下する遊技球は、第一大入賞口５５が閉鎖状態である場合には、図２５に示すように当該第一大入賞口５５に入賞せず、第一大入賞口扉５７に上方から衝突した後、当該第一大入賞口扉５７の上側面に沿って左下方へ向けて移動する（符号Ｐ２１参照）。そして、第一大入賞口扉５７の上側面に沿って左下方へ向けて移動する遊技球は、第二大入賞装置３７の上方をさらに左下方へ向けて移動し（符号Ｐ２２からＰ２３参照）、第二大入賞口５８の直ぐ左上方（すなわち、第二大入賞口５８の入り口近傍）に到達する（符号Ｐ２４参照）。
なお、本実施形態において、いわゆる右打ちを行って発射装置１６により発射された遊技球が、大入賞装置ユニット７０における所定箇所に到達するまでの移動経路として、図２３に示すように、誘導路７ａと、上側通路１８１と、右側通路１８２（減速部１８４）と、障害釘群１８３と、を順番に移動していく場合、遊技球が発射装置１６により発射されてから第二大入賞口５８の入り口近傍に到達するまでの時間（所要時間）は、約３秒となるように設定される。
【０２０９】
ここで、第二大入賞口５８の入り口近傍に到達した遊技球は、第二大入賞口５８が閉鎖状態である場合には、当該第二大入賞口５８に入賞しない。
具体的には、図２５に示すように、第二大入賞口５８の入り口近傍に到達した遊技球は、第二大入賞口扉６０が閉鎖動作を行っている場合、当該第二大入賞口扉６０の板面に沿って左下方へ向けて移動する（符号Ｐ２４参照）。そして、第二大入賞口扉６０の板面に沿って左下方へ向けて移動した遊技球は、さらに左下方へ向けて移動した後、大入賞装置ユニット７０から離間して左下方（より詳細には、可変入賞装置３５側）へ向けて放出される（符号Ｐ２５からＰ２６参照）。
【０２１０】
これに対して、第二大入賞口５８の入り口近傍に到達した遊技球は、第二大入賞口５８が開放状態である場合には、当該第二大入賞口５８に入賞する。
具体的には、図２６（ａ）に示すように、第二大入賞口５８の入り口近傍に到達した遊技球は、第二大入賞口扉６０が開放動作を行っている場合、当該第二大入賞口扉６０の板面に衝突した後、当該第二大入賞口５８の内側に入球する（符号Ｐ２４参照）。そして、第二大入賞装置３７の内側に入球した遊技球は、通路部７６を右下方へ向けて移動した後、当該通路部７６の中途部７７（すなわち、分岐路７８（Ｖ領域６１）の入り口近傍）に到達する（符号Ｐ３１参照）。
【０２１１】
ここで、分岐路７８（Ｖ領域６１）の入り口近傍に到達した遊技球は、当該入り口が閉鎖状態である場合には、分岐路７８に進入できないためＶ領域６１には入賞しない。
具体的には、図２６（ａ）に示すように、分岐路７８の入り口近傍（中途部７７）に到達した遊技球（符号Ｐ３１参照）は、振り分け片６５が開閉動作を行っている場合、当該振り分け片６５の板面に沿って右下方へ向けて移動する。そして、振り分け片６５の板面に沿って右下方へ向けて移動した遊技球は、通常領域６３に入賞し、当該入賞した後に第二回収口７５から遊技盤４の後方に回収される（符号Ｐ３２参照）。
【０２１２】
これに対して、分岐路７８（Ｖ領域６１）の入り口近傍に到達した遊技球は、当該入り口が開放状態である場合には、Ｖ領域６１に入賞する。
具体的には、図２６（ｂ）に示すように、分岐路７８の入り口近傍（中途部７７）に到達した遊技球（符号Ｐ３１参照）は、振り分け片６５が開放動作を行っている場合、当該振り分け片６５の板面に衝突した後、分岐路７８に進入してＶ領域６１に入賞する。そして、Ｖ領域６１に入賞した遊技球は、当該入賞した後に第三回収口７４から遊技盤４の後方に回収される（符号Ｐ４１参照）。
【０２１３】
このように、本実施形態においては、発射装置１６により発射された遊技球が大入賞装置ユニット７０における所定箇所に到達するまでの移動経路及び所要時間が予め設定されている。
【０２１４】
次に、時短時予告演出開始タイミング及び時短時予告演出停止タイミングの設定について、図２７を用いて説明する。
【０２１５】
図２７は、時短時予告演出の表示の開始及び停止のタイミングを示したタイミング図である。なお、図２７においては、遊技状態が時短状態へと移行した後の状態を示している。
【０２１６】
図２７に示すように、まず普通図柄遊技が行われて、普通図柄の変動表示が開始され、所定の変動時間である３秒経過後に当該変動表示が停止される。そして、普通図柄遊技の当り判定の結果が当りであると、特図２用始動口３４が開放され、所定の開放時間経過後に閉鎖される。なお、図２７においては、特図２用始動口３４が開放された後に、当該特図２用始動口３４に遊技球が入賞し、第二特別図柄遊技の大当り判定が行われている。そして、第二特別図柄遊技の大当り判定の結果がハズレとなり、当該第二特別図柄遊技の小当り判定が行われ、当該小当り判定が当りとなっている。なお、小当り判定が当りとなった場合には、小当り図柄の選択が行われ、当該Ｖ大当り遊技が終了した後に時短状態へと遊技状態が移行するか否か（時短状態が継続するか否か）が設定（決定）される。
【０２１７】
また、特図２用始動口３４に遊技球が入賞すると、特別図柄２の変動表示が開始され、所定の変動時間である２秒経過後に当該変動表示が停止される。そして、特別図柄２の変動表示が停止された後、所定の特別図柄停止図柄表示時間（図柄停止表示停止時間）である０．６秒を経過し、所定の初回インターバル期間である２秒を経過すると第二大入賞口５８が開放される。また、第二大入賞口５８が開放された後、所定の経過時間である０．４秒を経過すると、Ｖ領域６１が開放される。
【０２１８】
このような状態において、時短時予告演出が開始されるタイミング（時短時予告演出開始タイミング）は、第二特別図柄遊技の小当り判定が行われ、当該小当り判定が当りとなったタイミング（図２７の矢印Ａ）よりも遅くなるように設定される。すなわち、時短時予告演出は、小当り図柄が選択されることにより、Ｖ大当り遊技が終了した後に時短状態へと遊技状態が移行するか否か（時短状態が継続するか否か）が設定（決定）されたタイミング以降に開始されるように設定される。
【０２１９】
また、時短時予告演出が停止されるタイミング（時短時予告演出停止タイミング）は、第二大入賞口５８が開放状態となるタイミング（図２７の矢印Ｃ）から、発射装置１６により発射された遊技球が第二大入賞口５８の入り口近傍（図２５等のＰ２４参照）に到達するまでの所要時間（すなわち、本実施形態においては３秒）だけ遡ったタイミング（図２７の矢印Ｂ）よりも早くなるように設定される。なお、この所要時間（約３秒）は、当該特図２用始動口３４に遊技球が入賞して当該第二特別図柄遊技の小当り判定が行われたタイミング（図２７の矢印Ａ）から第二大入賞口５８が開放状態となるタイミング（図２７の矢印Ｃ）までの時間（４．６秒）よりも短くなるように設定される。
【０２２０】
こうして、時短時予告演出は、図２７の矢印Ａを始点として矢印Ｂを終点とする範囲Ｓ１内で開始されると共に停止されるように設定される。すなわち、時短時予告演出は、例えば図２７の矢印Ｂを始点として図２７の矢印Ｃを終点とする範囲Ｓ２内では開始されない。
【０２２１】
こうして、時短時予告演出が開始されると共に停止される範囲Ｓ１においては、当該範囲Ｓ１内の任意の時点（例えば、図２７の矢印Ｄ）から第二大入賞口５８が開放される（図２７の矢印Ｃ）までの時間が、少なくとも３秒以上となるように設定される。すなわち、遊技球が発射されてから第二大入賞口５８の入り口近傍に到達するまでの所要時間が約３秒であるところ、時短時予告演出を見た後に範囲Ｓ１内の任意の時点で遊技球を発射すれば、当該発射された遊技球が少なくとも第二大入賞口５８が開放される前に当該第二大入賞口５８の入り口近傍に到達することとなる。すなわち、時短時予告演出を見た後に範囲Ｓ１内の任意の時点で遊技球を発射すれば、第二大入賞口５８が開放中に絶え間なく遊技球を供給して入賞させることができ、ひいては当該遊技球をＶ領域６１に入賞させてＶ大当りとさせることができる。
【０２２２】
以下では、図１０を用いて、Ｖ大当りについて詳細に説明する。
【０２２３】
Ｖ大当りとは、前述したように、小当り遊技において第二大入賞口５８に入賞した遊技球がＶ領域６１に入賞した場合に判定される大当りである。本実施形態においてＶ大当りは、３種類設けられる。以下では、当該３種類のＶ大当りを、それぞれ「Ｖ大当り１」と、「Ｖ大当り２」と、「Ｖ大当り３」と、称する。
【０２２４】
遊技球がＶ領域６１に入賞した場合に判定されるＶ大当りが、Ｖ大当り１と、Ｖ大当り２と、Ｖ大当り３と、の何れであるかは、第二特別図柄遊技の小当り判定の結果が当りである場合に選択される小当り図柄に応じて選択される。
【０２２５】
ここで、図１０を参照すると、小当り図柄として図柄１から図柄２０までの何れかが選択された場合には、Ｖ大当りとしてＶ大当り１が選択される。なお、小当り図柄としての図柄１から図柄２０までは、小当り図柄選択カウンタ１２３のカウンタ値が「０」から「１９」までの何れかが取得された場合に、選択される。すなわち、小当り図柄としての図柄１から図柄２０までの何れかが選択される確率は２０／４０であることから、Ｖ大当りとしてＶ大当り１が選択される確率は２０／４０（選択確率５０％）となる。
【０２２６】
また、小当り図柄として図柄２１から図柄３５までの何れかが選択された場合には、Ｖ大当りとしてＶ大当り２が選択される。なお、小当り図柄としての図柄２１から図柄３５までは、小当り図柄選択カウンタ１２３のカウンタ値が「２０」から「３４」までの何れかが取得された場合に、選択される。すなわち、小当り図柄としての図柄２１から図柄３５までの何れかが選択される確率は１５／４０であることから、Ｖ大当りとしてＶ大当り２が選択される確率は１５／４０（選択確率３７．５％）となる。
【０２２７】
また、小当り図柄として図柄３６から図柄４０までの何れかが選択された場合には、Ｖ大当りとしてＶ大当り３が選択される。なお、小当り図柄としての図柄３６から図柄４０までは、小当り図柄選択カウンタ１２３のカウンタ値が「３５」から「３９」までの何れかが取得された場合に、選択される。すなわち、小当り図柄としての図柄３６から図柄４０までの何れかが選択される確率は５／４０であることから、Ｖ大当りとしてＶ大当り３が選択される確率は５／４０（選択確率１２．５％）となる。
【０２２８】
なお、Ｖ大当り１、Ｖ大当り２及びＶ大当り３には、ラウンド遊技のラウンド数（ひいては、Ｖ大当り遊技の賞球数（期待値））と、Ｖ大当り遊技が終了した後における時短状態への遊技状態の移行の有無（時短状態の継続の有無）と、がそれぞれ設定される。
【０２２９】
ここで、図１０を参照すると、Ｖ大当り１には、Ｖ大当り遊技が終了した後における時短状態への遊技状態の移行が有る（時短状態の継続が有る）ことが設定される。また、Ｖ大当り１には、ラウンド遊技のラウンド数が１３ラウンドと設定され、ひいてはＶ大当り遊技の賞球数が１５００個となることが設定される。
【０２３０】
また、Ｖ大当り２には、Ｖ大当り遊技が終了した後における時短状態への遊技状態の移行が有る（時短状態の継続が有る）ことが設定される。また、Ｖ大当り２には、ラウンド遊技のラウンド数が５ラウンドと設定され、ひいてはＶ大当り遊技の賞球数が５００個となることが設定される。
【０２３１】
また、Ｖ大当り３には、Ｖ大当り遊技が終了した後における時短状態への遊技状態の移行が無い（時短状態の継続が無い）ことが設定される。また、Ｖ大当り３には、ラウンド遊技のラウンド数が５ラウンドと設定され、ひいてはＶ大当り遊技の賞球数が５００個となることが設定される。
【０２３２】
このように、第二特別図柄遊技の小当り判定の結果が当りである場合に選択される小当り図柄に応じて、Ｖ大当りとして、Ｖ大当り１と、Ｖ大当り２と、Ｖ大当り３と、の何れかが選択される。
また、当該選択されたＶ大当りに応じて、ラウンド遊技のラウンド数（ひいては、前記Ｖ大当り遊技の賞球数（期待値））と、Ｖ大当り遊技が終了した後における時短状態への遊技状態の移行の有無（時短状態の継続の有無）と、がそれぞれ設定される。
【０２３３】
また、本実施形態においては、前記選択されたＶ大当り（すなわち、Ｖ大当り１、Ｖ大当り２、又はＶ大当り３の何れか）に応じて（さらには、時短時予告演出選択カウンタ８１のカウンタ値に応じて）、時短時予告演出の具体的な内容が設定されることとなる。
【０２３４】
まず、以下では、時短時予告演出の具体的な内容について説明する。
【０２３５】
ここで図２８は、時短時予告演出の表示態様を示した図である。図２８（ａ）に示すように、時短時予告演出の表示が開始されると、装飾図柄表示装置４０の液晶表示部６８の右下部に光の領域が出現する様子が表示される。そして、前記光の領域が液晶表示部６８の右下部から左上方へ向けて当該液晶表示部６８を覆うように徐々に拡大していく様子が表示される。そして、時短時予告演出の表示開始から所定時間が経過すると、図２８（ｂ）に示すように、光の領域の拡大が停止した様子が表示される。そして、前記光の領域の拡大が停止すると、図２８（ｃ）に示すように、当該光の領域が液晶表示部６８の右下部へ向けて徐々に縮小していく様子が表示される。
【０２３６】
また、時短時予告演出は、前記光の領域の色が異なる２種類設けられる。具体的には、当該２種類のうち１つの「赤色の光のカットイン演出」では、前記光の領域の色が赤色となる。また、当該２種類のうち残り１つの「青色の光のカットイン演出」では、前記光の領域の色が青色となる。
【０２３７】
なお、前述したように、時短時予告演出を液晶表示部６８の右下部から表示することにより、当該時短時予告演出の表示位置と第二大入賞口５８の配置位置との間の距離を比較的短くすることができる。これにより、遊技者が時短時予告演出を見たときに、当該時短時予告演出と共に第二大入賞口５８が当該遊技者の視界に入ることとなる。すなわち、遊技者に時短時予告演出を見せると共に、当該時短時予告演出を見せた後に開放状態となる第二大入賞口５８に遊技者の注意を引くことができる。
【０２３８】
なお、時短時予告演出に関する表示データは、表示制御ＲＯＭ２０５に格納される。
【０２３９】
以下では、時短時予告演出の具体的な内容の設定（時短時予告演出選択テーブル８３の構成）について、図１４を用いて詳細に説明する。
【０２４０】
図１４に示すように、Ｖ大当りとしてＶ大当り１が選択された場合、時短時予告演出選択カウンタ８１のカウンタ値が「０」から「６９」までの何れかが取得されると、時短時予告演出として青色の光のカットイン演出が選択される。また、時短時予告演出選択カウンタ８１のカウンタ値が「７０」から「９９」までの何れかが取得されると、時短時予告演出として赤色の光のカットイン演出が選択される。このように、Ｖ大当りとしてＶ大当り１が選択された場合には、時短時予告演出として、７０／１００（７０％）の確率で青色の光のカットイン演出が選択され、３０／１００（３０％）の確率で赤色の光のカットイン演出が選択されるように設定される。
【０２４１】
また、Ｖ大当りとしてＶ大当り２が選択された場合、時短時予告演出選択カウンタ８１のカウンタ値が「０」から「１９」までの何れかが取得されると、時短時予告演出として青色の光のカットイン演出が選択される。また、時短時予告演出選択カウンタ８１のカウンタ値が「２０」から「９９」までの何れかが取得されると、時短時予告演出として赤色の光のカットイン演出が選択される。このように、Ｖ大当りとしてＶ大当り２が選択された場合には、時短時予告演出として、２０／１００（２０％）の確率で青色の光のカットイン演出が選択され、８０／１００（８０％）の確率で赤色の光のカットイン演出が選択されるように設定される。
【０２４２】
また、Ｖ大当りとしてＶ大当り３が選択された場合、時短時予告演出選択カウンタ８１のカウンタ値が「０」から「５９」までの何れかが取得されると、時短時予告演出として青色の光のカットイン演出が選択される。また、時短時予告演出選択カウンタ８１のカウンタ値が「６０」から「９９」までの何れかが取得されると、時短時予告演出として赤色の光のカットイン演出が選択される。このように、Ｖ大当りとしてＶ大当り３が選択された場合には、時短時予告演出として、６０／１００（６０％）の確率で青色の光のカットイン演出が選択され、４０／１００（４０％）の確率で赤色の光のカットイン演出が選択されるように設定される。
【０２４３】
このように、時短時予告演出の具体的な内容の設定においては、前記選択されたＶ大当り（Ｖ大当り１、Ｖ大当り２、又はＶ大当り３の何れか）に応じて、異なる確率で青色の光のカットイン演出又は赤色の光のカットイン演出が選択される。すなわち、前記選択されたＶ大当りがＶ大当り１である場合と、Ｖ大当り２である場合と、Ｖ大当り３である場合とで、青色の光のカットイン演出又は赤色の光のカットイン演出が選択される確率がそれぞれ異なる。
【０２４４】
以下では、前述の如く構成されたパチンコ遊技機において、遊技状態が時短状態である場合の、遊技者の遊技の態様について説明する。
【０２４５】
ここでパチンコ遊技機は、前述したように、遊技状態が時短状態である場合、遊技者が時短時予告演出を見た後に範囲Ｓ１内の任意の時点で遊技球を発射すれば、当該遊技球をＶ領域６１に入賞させてＶ大当りとさせることができる。すなわち、遊技者は、表示された時短時予告演出が青色の光のカットイン演出であるか、又は赤色の光のカットイン演出であるかを認識したうえで、遊技球を発射させてＶ大当りとさせることができる。
【０２４６】
そして、遊技者は、表示された時短時予告演出が青色の光のカットイン演出であるか、又は赤色の光のカットイン演出であるかを認識することにより、遊技球を発射させてＶ大当りとした場合に、Ｖ大当りとしてＶ大当り１、Ｖ大当り２、又はＶ大当り３の何れとなり易いかを遊技球の発射前に予測することができる。
【０２４７】
より詳細には、時短時予告演出としての青色の光のカットイン演出は、図１４に示すように、Ｖ大当りがＶ大当り１である場合に７０％の確率で選択され、Ｖ大当りがＶ大当り２である場合に２０％の確率で選択され、Ｖ大当りがＶ大当り３である場合に６０％の確率で選択される。そして、Ｖ大当り１と、Ｖ大当り２と、Ｖ大当り３と、は、図１０に示すように、第二特別図柄遊技の小当り判定の結果が当りである場合に選択される小当り図柄に応じて、それぞれ５０％と、３７．５％と、１２．５％と、の確率で選択されるものである。
【０２４８】
すなわち、図２９（ａ）に示すように、時短時予告演出として青色の光のカットイン演出が選択された場合、当該演出がＶ大当り１に応じたものである確率は、７０％（５０％×７０％／（５０％×７０％＋３７．５％×２０％＋１２．５％×６０％）×１００）となる。また、当該演出がＶ大当り２に応じたものである確率は、１５％（３７．５％×２０％／（５０％×７０％＋３７．５％×２０％＋１２．５％×６０％）×１００）となる。また、当該演出がＶ大当り３に応じたものである確率は、１５％（１２．５％×６０％／（５０％×７０％＋３７．５％×２０％＋１２．５％×６０％）×１００）となる。
【０２４９】
このように、時短時予告演出として青色の光のカットイン演出が選択された場合、遊技球を発射させてＶ大当りとすると、Ｖ大当りとしてＶ大当り１となる確率がその他のＶ大当り２及びＶ大当り３となる確率よりも高くなる。すなわち、遊技者は、表示された時短時予告演出が青色の光のカットイン演出であることを認識することにより、遊技球を発射させてＶ大当りとした場合にＶ大当りとしてＶ大当り１となり易いことを、遊技球の発射前に予測することができる。
【０２５０】
また、時短時予告演出としての赤色の光のカットイン演出は、図１４に示すように、Ｖ大当りがＶ大当り１である場合に３０％の確率で選択され、Ｖ大当りがＶ大当り２である場合に８０％の確率で選択され、Ｖ大当りがＶ大当り３である場合に４０％の確率で選択される。ここで、Ｖ大当り１と、Ｖ大当り２と、Ｖ大当り３と、は、図１０に示すように、第二特別図柄遊技の小当り判定の結果が当りである場合に選択される小当り図柄に応じて、それぞれ５０％と、３７．５％と、１２．５％と、の確率で選択されるものである。
【０２５１】
すなわち、図２９（ａ）に示すように、時短時予告演出として赤色の光のカットイン演出が選択された場合、当該演出がＶ大当り１に応じたものである確率は、３０％（５０％×３０％／（５０％×３０％＋３７．５％×８０％＋１２．５％×４０％）×１００）となる。また、当該演出がＶ大当り２に応じたものである確率は、６０％（３７．５％×８０％／（５０％×３０％＋３７．５％×８０％＋１２．５％×４０％）×１００）となる。また、当該演出がＶ大当り３に応じたものである確率は、１０％（１２．５％×４０％／（５０％×３０％＋３７．５％×８０％＋１２．５％×４０％）×１００）となる。
【０２５２】
このように、時短時予告演出として赤色の光のカットイン演出が選択された場合、遊技球を発射させてＶ大当りとすると、Ｖ大当りとしてＶ大当り２となる確率がその他のＶ大当り１及びＶ大当り３となる確率よりも高くなる。すなわち、遊技者は、表示された時短時予告演出が赤色の光のカットイン演出であることを認識することにより、遊技球を発射させてＶ大当りとした場合にＶ大当りとしてＶ大当り２となり易いことを、遊技球の発射前に予測することができる。
【０２５３】
このような構成により、遊技球を発射させてＶ大当りとする場合、Ｖ大当りとしてＶ大当り１を所望する場合には、遊技者は時短時予告演出として青色の光のカットイン演出を認識したうえで遊技球を発射させる。これにより、Ｖ大当りとなった場合には、Ｖ大当り２やＶ大当り３となる確率よりも高い確率でＶ大当り１とすることができる。
【０２５４】
また、遊技球を発射させてＶ大当りとする場合、Ｖ大当りとしてＶ大当り２を所望する場合には、遊技者は時短時予告演出として赤色の光のカットイン演出を認識したうえで遊技球を発射させる。これにより、Ｖ大当りとなった場合には、Ｖ大当り１やＶ大当り３となる確率よりも高い確率でＶ大当り２とすることができる。
【０２５５】
以下では、時短時予告演出として青色の光のカットイン演出が選択された場合、又は赤色の光のカットイン演出が選択された場合にＶ大当りとしたときの「時短状態が継続する継続期待値」及び「期待賞球数」について説明する。
【０２５６】
なお、前記「時短状態が継続する継続期待値」（以下では「継続率」と称する。）とは、遊技状態が時短状態であるときにＶ大当り遊技が実行された場合、前記Ｖ大当り遊技の実行後に遊技状態が再び時短状態へと移行する期待値（平均値）を指すものである。
【０２５７】
青色の光のカットイン演出が選択された場合にＶ大当りとしたときの継続率は、Ｖ大当り１である確率７０％＋Ｖ大当り２である確率１５％（図２９（ａ）参照）、という計算式で算出される。すなわち、青色の光のカットイン演出が選択された場合にＶ大当りとしたときの継続率は、図２９（ｂ）に示すように、８５％となる。
【０２５８】
また、赤色の光のカットイン演出が選択された場合にＶ大当りとしたときの継続率は、Ｖ大当り１である確率３０％＋Ｖ大当り２である確率６０％（図２９（ａ）参照）、という計算式で算出される。すなわち、赤色の光のカットイン演出が選択された場合にＶ大当りとしたときの継続率は、図２９（ｂ）に示すように、９０％となる。
【０２５９】
このように、赤色の光のカットイン演出が選択された場合にＶ大当りとしたほうが、青色の光のカットイン演出が選択された場合にＶ大当りとしたときよりも、継続率が高くなるように構成される。
【０２６０】
また、前記「期待賞球数」とは、大当り遊技での獲得賞球数（獲得が見込める遊技球の数）の期待値（平均値）を指すものである。なお、本実施形態において期待賞球数には、大当り遊技の１回あたりの遊技で獲得が期待される「第一期待賞球数」（１回あたり期待賞球数）と、時短状態の継続中に行われる一連の大当り遊技により獲得が期待される「第二期待賞球数」（継続中期待賞球数）と、がある。
【０２６１】
青色の光のカットイン演出が選択された場合にＶ大当りとしたときの第一期待賞球数は、Ｖ大当り１の賞球数１５００個×Ｖ大当り１である確率７０％＋Ｖ大当り２の賞球数５００個×Ｖ大当り２である確率１５％＋Ｖ大当り３の賞球数５００個×Ｖ大当り３である確率１５％（図１０及び図２９（ａ）参照）、という計算式で算出される。すなわち、青色の光のカットイン演出が選択された場合にＶ大当りとしたときの第一期待賞球数は、図２９（ｂ）に示すように、１２００個となる。
【０２６２】
また、赤色の光のカットイン演出が選択された場合にＶ大当りとしたときの第一期待賞球数は、Ｖ大当り１の賞球数１５００個×Ｖ大当り１である確率３０％＋Ｖ大当り２の賞球数５００個×Ｖ大当り２である確率６０％＋Ｖ大当り３の賞球数５００個×Ｖ大当り３である確率１０％（図１０及び図２９（ａ）参照）、という計算式で算出される。すなわち、赤色の光のカットイン演出が選択された場合にＶ大当りとしたときの第一期待賞球数は、図２９（ｂ）に示すように、８００個となる。
【０２６３】
このように、青色の光のカットイン演出が選択された場合にＶ大当りとしたほうが、赤色の光のカットイン演出が選択された場合にＶ大当りとしたときよりも、第一期待賞球数が多くなるように構成される。
【０２６４】
また、青色の光のカットイン演出が選択された場合にＶ大当りとしたときにおける平均連荘回数（時短状態が継続する平均回数）の期待値は、１／（１−継続率８５％／１００）（図２９（ｂ）参照）、との計算式で算出される。すなわち、青色の光のカットイン演出が選択された場合にＶ大当りとしたときにおける平均連荘回数（時短状態が継続する平均回数）の期待値は、６．６６・・（１００／１５）回となる。
そして、青色の光のカットイン演出が選択された場合にＶ大当りとしたときの第二期待賞球数は、第一期待賞球数１２００個×平均連荘回数の期待値６．６６・・（１００／１５）回（図２９（ｂ）参照）、との計算式で算出される。すなわち、青色の光のカットイン演出が選択された場合にＶ大当りとしたときの第二期待賞球数は、図２９（ｂ）に示すように、８０００個となる。
【０２６５】
また、赤色の光のカットイン演出が選択された場合にＶ大当りとしたときにおける平均連荘回数（時短状態が継続する平均回数）の期待値は、１／（１−継続率９０％／１００）（図２９（ｂ）参照）、との計算式で算出される。すなわち、赤色の光のカットイン演出が選択された場合にＶ大当りとしたときにおける平均連荘回数（時短状態が継続する平均回数）の期待値は、１０回となる。
そして、赤色の光のカットイン演出が選択された場合にＶ大当りとしたときの第二期待賞球数は、第一期待賞球数８００個×平均連荘回数の期待値１０回（図２９（ｂ）参照）、との計算式で算出される。すなわち、赤色の光のカットイン演出が選択された場合にＶ大当りとしたときの第二期待賞球数は、図２９（ｂ）に示すように、８０００個となる。
【０２６６】
このように、青色の光のカットイン演出が選択された場合にＶ大当りとしたときと、赤色の光のカットイン演出が選択された場合にＶ大当りとしたときとは、第二期待賞球数は共に８０００個であり等しくなる。
【０２６７】
以上のような構成により、例えば、第一期待賞球数が多いことを継続率が高いことよりも重視する場合は、時短時予告演出として青色の光のカットイン演出を認識したうえで所定期間内に遊技球を発射させる。これにより、当該発射させた遊技球によりＶ大当りとなった場合には、Ｖ大当り２やＶ大当り３となる確率よりも高い確率でＶ大当り１とすることができ、ひいては第一期待賞球数を多くすることができる。
【０２６８】
また、例えば、継続率が高いことを第一期待賞球数が多いことよりもを重視する場合は、時短時予告演出として赤色の光のカットイン演出を認識したうえで所定期間内に遊技球を発射させる。これにより、当該発射させた遊技球によりＶ大当りとなった場合には、Ｖ大当り１やＶ大当り３となる確率よりも高い確率でＶ大当り２とすることができ、ひいては継続率を高くすることができる。
【０２６９】
このように、時短状態での遊技、すなわちＶ大当りを行うための遊技において、遊技の内容に影響を与えることができる予告演出（演出映像）を遊技者に見せることができ、遊技者の興趣を高めることができる。すなわち、時短状態での遊技、すなわちＶ大当りを行うための遊技において、例えば淡々と同じ映像が繰り返し再生されるような演出映像だけでなく、遊技者の興趣を高めることができる予告演出（演出映像）を当該遊技者に見せるため、演出の単調さを解消することができる。
【０２７０】
また、青色の光のカットイン演出が選択された場合にＶ大当りとしたときと、赤色の光のカットイン演出が選択された場合にＶ大当りとしたときとは、第二期待賞球数は共に８０００個であり等しくなるため、どちらの演出が選択された場合にＶ大当りとしても獲得賞球数に差異が生じない。これにより、遊技の公平性が阻害されることを防止することができる。
【０２７１】
また、前述の如き構成の情報を公開する（遊技者に認識させる）ことによって、時短状態での遊技、すなわちＶ大当りを行うための遊技において、遊技者が自ら遊技の内容を選択する楽しみを与えることができる。
【０２７２】
また、前述の如き構成の情報は公開させずに、遊技者が経験則として得るものであってもよい。すなわち、パチンコ遊技機の遊技を継続して行っている遊技者は、「時短時予告演出として赤色の光のカットイン演出を認識したうえで所定期間内に遊技球を発射させると、継続率を高くし易い」ことや、「時短時予告演出として青色の光のカットイン演出を認識したうえで所定期間内に遊技球を発射させると、第一期待賞球数を多くし易い」ことの経験則を得ることができる。こうして、自らが得た経験則に従って遊技を行うとする楽しみ（遊技性）を、遊技者に与えることができる。
【０２７３】
以上のように、本発明に係るパチンコ遊技機の一実施形態に係るパチンコ遊技機は、
遊技球が入球した場合に第一の大当りであるか否かが判定される始動口（特図１用始動口３３）と、
前記第一の大当りと判定された場合に第一の大当り遊技（特図１大当り遊技）を実行する第一の大当り遊技実行手段（主制御回路１００）と、
遊技球が入球可能な開放状態と入球不能な閉鎖状態とに切り換えられる特別入球口（第二大入賞口５８）と、
前記特別入球口に入球した遊技球が進入可能であると共に、遊技球が進入した場合に第二の大当りであると判定される特定領域（Ｖ領域６１）と、
遊技球が入球容易な開放状態と入球困難な閉鎖状態とに切り換えられると共に、遊技球が入球した場合に前記特別入球口を開放状態とする小当り遊技を実行するか否かが判定される可変始動口（特図２用始動口３４）と、
前記小当り遊技を実行すると判定された場合に前記特別入球口を開放状態とする小当り遊技実行手段（主制御回路１００）と、
前記小当り遊技を実行すると判定された場合に、前記小当り遊技を契機として前記第二の大当りと判定される場合の大当り種類を複数の大当り種類（Ｖ大当り１、Ｖ大当り２、Ｖ大当り３）から選択する大当り種類選択手段（主制御回路１００）と、
前記第二の大当りと判定された場合に前記大当り種類選択手段により選択された大当り種類に対応する第二の大当り遊技（Ｖ大当り遊技）を実行する第二の大当り遊技実行手段（主制御回路１００）と、
所定の条件が成立した場合に、前記第一の大当り遊技の終了後及び前記第二の大当り遊技の終了後のそれぞれに遊技状態を前記可変始動口が開放状態となり易い特定遊技状態へと移行させる特定遊技状態移行手段（主制御回路１００）と、
所定の演出が表示される表示部（装飾図柄表示装置４０）と、
遊技状態が前記特定遊技状態であるときに前記小当り遊技を実行すると判定された場合に、第一の予告演出及び第二の予告演出（青色の光のカットイン演出及び赤色の光のカットイン演出）を含む複数の予告演出からいずれかを選択する予告演出選択手段（サブ制御回路９０）と、
前記予告演出選択手段により選択された予告演出を前記表示部に表示する予告表示手段（表示制御回路２００）とを具備し、
前記複数の大当り種類には、各大当り種類に対応して第二の大当り遊技が実行された場合の獲得賞球数及び前記第二の大当り遊技の実行後の遊技状態における遊技者の有利度合いが設定され、
前記第一の予告演出が表示されたときに前記第二の大当りと判定された場合と、前記第二の予告演出が表示されたときに前記第二の大当りと判定された場合と、を比較すると、
前記第一の予告演出が表示されたときに前記第二の大当りと判定された場合は、前記第二の大当り遊技の１回あたりの遊技で獲得が期待される期待賞球数が多く、且つ前記特別遊技状態が継続する継続期待値が小さく、
前記第二の予告演出が表示されたときに前記第二の大当りと判定された場合は、前記期待賞球数が少なく、且つ前記継続期待値が大きいものである。
【０２７４】
このような構成により、第一の大当り遊技（特図１大当り遊技）を行うための遊技から移行した第二の大当り遊技（Ｖ大当り遊技）を行うための遊技（時短状態での遊技）において、遊技者に表示される演出映像を、単調とならず飽き難いものとすることができる。
【０２７５】
なお、本実施形態に係る時短状態の継続の有無は、本発明に係る「前記第二の大当り遊技の実行後の遊技状態における遊技者の有利度合い」の一実施形態である。すなわち、本発明に係る「前記第二の大当り遊技の実行後の遊技状態における遊技者の有利度合い」は、これに限定するものではない。例えば、パチンコ遊技機が特別図柄遊技の大当り判定の所定回数だけ時短状態が継続するように構成されている場合、本発明に係る「前記第二の大当り遊技の実行後の遊技状態における遊技者の有利度合い」は前記大当り判定の所定回数により設定されるものであってもよい。
【０２７６】
また、パチンコ遊技機においては、前記特定遊技状態の継続中に行われる一連の第二の大当り遊技により獲得が期待される総期待賞球数は、前記第一の予告演出が表示されたときに前記第二の大当りと判定された前記第二の大当り遊技と、前記第二の予告演出が表示されたときに前記第二の大当りと判定された前記第二の大当り遊技とで等しいものである。
【０２７７】
このような構成により、遊技の公平性が阻害されることを防止することができる。
【０２７８】
なお、本実施形態において、青色の光のカットイン演出及び赤色の光のカットイン演出（本発明に係る「予告演出選択手段により選択された予告演出」）を、装飾図柄表示装置４０の液晶表示部６８を用いて遊技者に表示するものとしたが、これに限定するものではない。すなわち、本発明に係る「予告演出選択手段により選択された予告演出」は、例えば遊技盤４上に設けたセンター役物１５や第二大入賞装置３７（第二大入賞口５８）等の構造物の電飾の発光色を変化させることにより、遊技者に表示するもであってもよい。
【０２７９】
また、本実施形態において、青色の光のカットイン演出及び赤色の光のカットイン演出から何れかを選択する構成（本発明に係る「予告演出選択手段」の構成）は、サブ制御回路９０に格納された時短時予告演出選択テーブル８３を使用するものであり、Ｖ大当りの種類毎に、時短時予告演出選択カウンタ８１のカウンタ値に基づいて選択（抽選）するものとしたが、これに限定するものではない。
【０２８０】
以下では、図３０を用いて、別実施形態に係る青色の光のカットイン演出及び赤色の光のカットイン演出から何れかを選択する構成（本発明に係る「予告演出選択手段」の構成）について説明する。
【０２８１】
なお、別実施形態に係る青色の光のカットイン演出及び赤色の光のカットイン演出から何れかを選択する構成が、先に説明した実施形態に係る構成と異なる点は、時短時予告演出選択テーブル８３ではなく、時短時予告演出選択テーブル３８３を有する点である。
【０２８２】
時短時予告演出選択テーブル３８３は、サブ制御回路９０のサブ制御ＲＯＭ９５に格納される。時短時予告演出選択テーブル３８３は、選択された小当り図柄に対応する「判定結果」（時短時予告演出の具体的な内容）により構成される。すなわち、別実施形態に係る青色の光のカットイン演出及び赤色の光のカットイン演出から何れかを選択する構成においては、時短時予告演出選択カウンタ８１のカウンタ値に基づいて抽選するものではなく、選択された小当り図柄に対応する時短時予告選出が選択される。
【０２８３】
そして、主制御回路１００にて選択された小当り図柄に関する信号をサブ制御回路９０が受信した場合に、当該サブ制御回路９０は当該信号が示す小当り図柄に対応する時短時予告演出を選択する。例えば、主制御回路１００にて選択された小当り図柄としての図柄１に関する信号をサブ制御回路９０が受信した場合に、当該サブ制御回路９０は当該信号が示す小当り図柄としての図柄１に対応する時短時予告演出として青色の光のカットイン演出を選択する。
【０２８４】
なお、時短時予告演出として青色の光のカットイン演出又は赤色の光のカットイン演出の何れかが選択される確率は、本実施形態に係る構成と同一に設定される。
【０２８５】
このように、本発明に係る「予告演出選択手段」は、種々の構成が想定され、特に限定するものではない。
【符号の説明】
【０２８６】
３３：特図１用始動口，３４：特図２用始動口，３７：第二大入賞装置，４０：装飾図柄表示装置，５８：第二大入賞口，６１：特定領域（Ｖ領域），９０：サブ制御回路，１００：主制御回路，２００：表示制御回路
【図１】
2015047399.tif 000003
【図２】
2015047399.tif 000004
【図３】
2015047399.tif 000005
【図４】
2015047399.tif 000006
【図５】
2015047399.tif 000007
【図６】
2015047399.tif 000008
【図７】
2015047399.tif 000009
【図８】
2015047399.tif 000010
【図９】
2015047399.tif 000011
【図１０】
2015047399.tif 000012
【図１１】
2015047399.tif 000013
【図１２】
2015047399.tif 000014
【図１３】
2015047399.tif 000015
【図１４】
2015047399.tif 000016
【図１５】
2015047399.tif 000017
【図１６】
2015047399.tif 000018
【図１７】
2015047399.tif 000019
【図１８】
2015047399.tif 000020
【図１９】
2015047399.tif 000021
【図２０】
2015047399.tif 000022
【図２１】
2015047399.tif 000023
【図２２】
2015047399.tif 000024
【図２３】
2015047399.tif 000025
【図２４】
2015047399.tif 000026
【図２５】
2015047399.tif 000027
【図２６】
2015047399.tif 000028
【図２７】
2015047399.tif 000029
【図２８】
2015047399.tif 000030
【図２９】
2015047399.tif 000031
【図３０】
2015047399.tif 000032